(57)【要約】【課題】  電力が不足する装置に電力を供給する装置において、ジョブを確実に実行させること。【解決手段】  電力供給システムは、複数の画像形成装置と、管理装置と、配電装置と、を備え、管理装置は、複数の画像形成装置のうちから受電側装置と供給側装置とを決定する決定部と、供給側装置に供給指令を送信する供給指令送信部と、配電指令を配電装置に送信する配電指令送信部と、を備え、配電装置は、配電指令が入力されることに応じて、供給側装置と受電側装置とを接続し、供給側装置は、管理装置から供給指令が受け付けられてから（Ｓ４２でＹＥＳ）バッテリの電力量が、予め定められたしきい値に予約ジョブを実行するために必要な電力量を加算した値になるまで（Ｓ４６またはＳ４８でＹＥＳ）バッテリを配電装置に接続するために接続状態に切り換える（Ｓ４２）第２切換制御部を含む。【選択図】        図８
2012003707.tif 000002
【特許請求の範囲】
【請求項１】
複数の画像形成装置と、前記複数の画像形成装置の状態を監視する管理装置と、配電装置と、を備えた電力供給システムであって、
前記複数の画像形成装置それぞれは、
外部電源から受電する第１受電手段と、
電力を蓄電する蓄電手段と、
前記蓄電手段が蓄電する電力量を検出する検出手段と、
前記配電装置から受電する第２受電手段と、
前記第１受電手段、前記第２受電手段および前記蓄電手段のいずれかから出力される電力を合成し、出力する合成手段と、
前記出力される電力に基づいて、入力されるジョブを実行するジョブ実行手段と、
前記検出手段により検出される電力量を前記管理装置に出力する電力量出力手段と、
前記ジョブ実行手段により実行されていない予約ジョブに関する予約ジョブ情報を前記管理装置に出力する予約ジョブ情報出力手段と、
前記蓄電手段を前記配電装置に接続する接続状態と接続しない切断状態とのいずれかに切り換える切換手段と、を備え、
前記管理装置は、
前記複数の画像形成装置それぞれから受信される電力量と予約ジョブ情報とに基づいて、前記複数の画像形成装置のうちから受電側装置と供給側装置とを決定する決定手段と、
決定された前記供給側装置に供給指令を送信する供給指令送信手段と、
決定された前記受電側装置および前記供給側装置それぞれの装置識別情報を含む配電指令を前記配電装置に送信する配電指令送信手段と、を備え、
前記配電装置は、前記複数の画像形成装置それぞれが備える前記切換手段および前記第２受電手段と接続されており、
前記配電指令が入力されることに応じて、前記配電指令で特定される前記供給側装置が備える前記切換手段と、前記配電指令で特定される前記受電側装置が備える前記第２受電手段とを接続する接続手段を、備え、
前記供給側装置は、前記管理装置から供給指令が受け付けられてから前記検出手段により検出される電力量が予め定められたしきい値に前記ジョブ実行手段により実行されていない予約ジョブを実行するために必要な電力量を加算した値になるまで前記切換手段を前記接続状態に切り換える第２切換制御手段を含む、電力供給システム。
【請求項２】
複数の画像形成装置と、前記複数の画像形成装置の状態を監視する管理装置と、配電装置と、を備えた電力供給システムであって、
前記複数の画像形成装置それぞれは、
外部電源から受電する第１受電手段と、
電力を蓄電する蓄電手段と、
前記蓄電手段が蓄電する電力量を検出する検出手段と、
前記配電装置から受電する第２受電手段と、
前記第１受電手段、前記第２受電手段および前記蓄電手段のいずれかから出力される電力を合成し、出力する合成手段と、
入力されるジョブを実行するジョブ実行手段と、
前記検出手段により検出される電力量を前記管理装置に出力する電力量出力手段と、
前記ジョブ実行手段により実行されていない予約ジョブに関する予約ジョブ情報を前記管理装置に出力する予約ジョブ情報出力手段と、
前記検出手段により検出される電力量が、予め定められたしきい値に前記ジョブ実行手段により実行されていない予約ジョブを実行するために必要な電力量を加算した値以下の場合、電力不足を示す不足信号を前記管理装置に送信する不足信号送信手段と、
前記蓄電手段を前記配電装置に接続する接続状態と接続しない切断状態とのいずれかに切り換える切換手段と、を備え、
前記管理装置は、
前記不測信号を受信することに応じて、前記複数の画像形成装置それぞれから受信される電力量と予約ジョブ情報とに基づいて、前記複数の画像形成装置のうちから供給側装置を決定する決定手段と、
決定された前記供給側装置に供給指令を送信する供給指令送信手段と、
前記複数の画像形成装置のうち前記不足信号を送信してきた受電側装置と決定された前記供給側装置それぞれの装置識別情報を含む配電指令を前記配電装置に送信する配電指令送信手段と、を備え、
前記配電装置は、
前記複数の画像形成装置それぞれが備える前記蓄電手段および第２受電手段と接続されており、
前記配電指令が入力されることに応じて、前記配電指令で特定される前記供給側装置が備える蓄電手段と、前記配電指令で特定される前記受電側装置が備える第２受電手段とを接続する接続手段を、備え、
前記受電側装置は、前記切換手段を前記切断状態に切り換える第１切換制御手段をさらに備え、
前記供給側装置は、前記管理装置から供給指令が受け付けられてから前記検出手段により検出される電力量が予め定められたしきい値に前記ジョブ実行手段により実行されていない予約ジョブを実行するために必要な電力量を加算した値になるまで前記切換手段を前記接続状態に切り換える第２切換制御手段をさらに備える、電力供給システム。
【請求項３】
複数の画像形成装置と配電装置とを備えた電力供給システムであって、
前記複数の画像形成装置それぞれは、
外部電源から受電する第１受電手段と、
電力を蓄電する蓄電手段と、
前記蓄電手段が蓄電する電力量を検出する検出手段と、
前記配電装置から受電する第２受電手段と、
前記第１受電手段、前記第２受電手段および前記蓄電手段のいずれかから出力される電力を合成し、出力する合成手段と、
入力されるジョブを実行するジョブ実行手段と、
前記検出手段により検出される電力量を前記複数の画像形成装置のうち要求してきたものに出力する電力量出力手段と、
前記ジョブ実行手段により実行されていない予約ジョブに関する予約ジョブ情報を前記複数の画像形成装置のうち要求してきたものに出力する予約ジョブ情報出力手段と、
前記蓄電手段を前記配電装置に接続する接続状態と接続しない切断状態とのいずれかに切り換える切換手段と、を備え、
前記複数の画像形成装置のうち前記検出手段により検出される電力量が予め定められたしきい値に前記ジョブ実行手段により実行されていない予約ジョブを実行するために必要な電力量を加算した値以下の受電側装置は、
前記複数の画像形成装置のうち他のすべてからそれぞれ受信される電力量と予約ジョブ情報とに基づいて、前記複数の画像形成装置のうち他のすべてのうちから供給側装置を決定する決定手段と、
決定された前記供給側装置に供給指令を送信する供給指令送信手段と、
前記切換手段を前記切断状態に切り換える第１切換制御手段と、をさらに備え、
前記複数の画像形成装置のうち前記供給指令を受信した供給側装置は、
前記供給指令を送信してきた受電側装置と自装置それぞれの装置識別情報を含む配電指令を前記配電装置に送信する配電指令送信手段と、
前記受電側装置から供給指令が受信されてから前記検出手段により検出される電力量が予め定められたしきい値に前記ジョブ実行手段により実行されていない予約ジョブを実行するために必要な電力量を加算した値以下になるまで前記切換手段を前記接続状態に切り換える第２切換制御手段を、さらに備え、
前記配電装置は、
前記複数の画像形成装置それぞれが備える前記蓄電手段および第２受電手段と接続されており、
前記配電指令が入力されることに応じて、前記配電指令で特定される前記供給側装置が備える蓄電手段と、前記配電指令で特定される前記受電側装置が備える第２受電手段とを接続する接続手段を、備える電力供給システム。
【請求項４】
前記ジョブ実行手段は、複数種類のジョブを実行可能であり、
前記検出手段により検出される電力量が前記しきい値に前記ジョブ実行手段により実行されていない予約ジョブを実行するために必要な電力量を加算した値以下の間は、前記第２受電手段が前記配電装置から受電していなければ、前記複数種類のジョブのうち予め定められた許可種類のジョブのみを実行する制限手段を含む、請求項１〜３のいずれかに記載の電力供給システム。
【請求項５】
前記決定手段は、前記複数の画像形成装置それぞれについて、前記受信される電力量から前記予約ジョブを実行することにより消費される電力を減算した電力量に基づいて、前記供給側装置を決定する、請求項１〜４のいずれかに記載の電力供給システム。
【請求項６】
前記しきい値は、前記外部電源から電力が供給されない期間の平均時間、前記平均時間における平均ジョブ回数に基づき予測される予測消費電力に基づいて定められた値である、請求項１〜５のいずれかに記載の電力供給システム。
【請求項７】
外部電源から受電する第１受電手段と、
電力を蓄電する蓄電手段と、
前記蓄電手段が蓄電する電力量を検出する検出手段と、
入力されるジョブを実行するジョブ実行手段と、
前記蓄電手段を外部の装置に接続する接続状態と接続しない切断状態とのいずれかに切り換える切換手段と、
前記検出手段により検出された電力量が予め定められたしきい値に前記ジョブ実行手段により実行されていない予約ジョブを実行するために必要な電力量を加算した値以下の場合、前記切換手段を前記切断状態に切り換え、外部の装置から供給指令が受け付けられてから前記検出される電力量が予め定められたしきい値に前記ジョブ実行手段により実行されていない予約ジョブを実行するために必要な電力量を加算した値なるまで前記切換手段を前記接続状態に切り換える切換制御手段と、を備えた画像形成装置。
【請求項８】
外部電源から受電する第１受電手段と、
電力を蓄電する蓄電手段と、を備えた画像形成装置で実行される電力供給方法であって、
前記蓄電手段が蓄電する電力量を検出するステップと、
入力されるジョブを実行するステップと、
前記検出された電力量が、前記実行するステップにおいて実行されていない予約ジョブを実行するために必要な電力量を予め定められたしきい値に加算した値以下の場合、前記蓄電手段を外部の装置に接続しない切断状態に切り換えるステップと、
外部の装置から供給指令が受け付けられてから前記検出される電力量が、前記実行するステップにおいて実行されていない予約ジョブを実行するために必要な電力量を予め定められたしきい値に加算した値なるまで、前記蓄電手段を外部の装置に接続する接続状態に切り換えるステップと、を含む電力供給方法。
【請求項９】
外部電源から受電する第１受電手段と、
電力を蓄電する蓄電手段と、を備えた画像形成装置を制御するコンピュータで実行される電力供給プログラムであって、
前記蓄電手段が蓄電する電力量を検出するステップと、
入力されるジョブを実行するステップと、
前記検出された電力量が、前記実行するステップにおいて実行されていない予約ジョブを実行するために必要な電力量を予め定められたしきい値に加算した値以下の場合、前記蓄電手段を外部の装置に接続しない切断状態に切り換えるステップと、
外部の装置から供給指令が受け付けられてから前記検出される電力量が、前記実行するステップにおいて実行されていない予約ジョブを実行するために必要な電力量を予め定められたしきい値に加算した値なるまで、前記蓄電手段を外部の装置に接続する接続状態に切り換えるステップと、を前記コンピュータに実行させる電力供給プログラム。
【発明の詳細な説明】
【技術分野】
【０００１】
この発明は、電力供給システム、画像形成装置、電力供給方法、電力供給プログラム
に関し、特にバッテリを搭載した複数の画像形成装置を含む電力供給システム、その画像形成装置、および画像形成装置で実行される電力供給方法および電力供給プログラムに関する。
【背景技術】
【０００２】
近年、停電等で商用電源から電力が供給されない場合に備えて、無停電装置を備えた画像形成装置の開発が進められている。例えば、特開２００７−３０６３８６号公報には、記録データに従って被記録媒体に画像を記録する記録装置において、駆動電源とする電池と、前記電池の残留電力を検出する検出手段を持ち、前記検出手段により検出した残留電力の容量に応じて、操作できる機能を制限することを特徴とする記録装置が記載されている。また、特開２００８−３１４７号公報には、受け付けた処理要求を自機内で処理する外、外部機へも依頼することが可能な画像形成装置であって、外部機の機器状態を検知する外部機モニタ手段と、蓄電装置を備えた補助電源と、前記補助電源の供給先を外部機と内部との間で切換える電源切換手段と、外部機への処理依頼時に、該外部機の機器状態を前記外部機モニタ手段により検知し、検知結果をもとに外部機への補助電源の供給の要、不要を判断し、判断結果に従い、前記補助電源を外部機に供給するために前記電源切換手段を動作させる電源供給制御手段、を備えたことを特徴とする画像形成装置が記載されている。
【０００３】
しかしながら、従来の画像形成装置においては、補助電源の電力を別の装置に供給することによって、蓄電容量が減少するため、自装置で処理を実行するための電力が、別の装置によって消費されてしまい、実行することができなくなってしまうといった問題がある。例えば、実行中のプリントジョブが蓄電容量の減少によって、途中で実行できなくなったり、プリントジョブが予約ジョブとして登録されている場合に、予約されているプリントジョブを実行できなくなったりする。
【特許文献１】特開２００７−３０６３８６号公報
【特許文献２】特開２００８−３１４７号公報
【発明の概要】
【発明が解決しようとする課題】
【０００４】
この発明は上述した問題を解決するためになされたもので、この発明の目的の１つは、電力が不足する装置に電力を供給する装置において、ジョブを確実に実行させることが可能な電力供給システムを提供することである。
【０００５】
この発明の他の目的は、電力が不足する装置に電力を供給するとともに、ジョブを確実に実行することが可能な画像形成装置を提供することである。
【０００６】
この発明のさらに他の目的は、電力が不足する装置に電力を供給するとともに、ジョブを確実に実行することが可能な電力供給方法を提供することである。
【０００７】
この発明のさらに他の目的は、電力が不足する装置に電力を供給するとともに、ジョブを確実に実行することが可能な電力供給プログラムを提供することである。
【課題を解決するための手段】
【０００８】
この発明は上述した問題を解決するためになされたもので、この発明のある局面によれば、電力供給システムは、複数の画像形成装置と、複数の画像形成装置の状態を監視する管理装置と、配電装置と、を備えた電力供給システムであって、複数の画像形成装置それぞれは、外部電源から受電する第１受電手段と、電力を蓄電する蓄電手段と、蓄電手段が蓄電する電力量を検出する検出手段と、配電装置から受電する第２受電手段と、第１受電手段、第２受電手段および蓄電手段のいずれかから出力される電力を合成し、出力する合成手段と、入力されるジョブを実行するジョブ実行手段と、検出手段により検出される電力量を管理装置に出力する電力量出力手段と、ジョブ実行手段により実行されていない予約ジョブに関する予約ジョブ情報を管理装置に出力する予約ジョブ情報出力手段と、蓄電手段を配電装置に接続する接続状態と接続しない切断状態とのいずれかに切り換える切換手段と、を備え、管理装置は、複数の画像形成装置それぞれから受信される電力量と予約ジョブ情報とに基づいて、複数の画像形成装置のうちから受電側装置と供給側装置とを決定する決定手段と、決定された供給側装置に供給指令を送信する供給指令送信手段と、決定された受電側装置および供給側装置それぞれの装置識別情報を含む配電指令を配電装置に送信する配電指令送信手段と、を備え、配電装置は、複数の画像形成装置それぞれが備える切換手段および第２受電手段と接続されており、配電指令が入力されることに応じて、配電指令で特定される供給側装置が備える切換手段と、配電指令で特定される受電側装置が備える第２受電手段とを接続する接続手段を、備え、供給側装置は、管理装置から供給指令が受け付けられてから検出手段により検出される電力量が予め定められたしきい値にジョブ実行手段により実行されていない予約ジョブを実行するために必要な電力量を加算した値になるまで切換手段を接続状態に切り換える第２切換制御手段を含む、電力供給システム。
【０００９】
この局面に従えば、管理装置によって、複数の画像形成装置それぞれから受信される電力量と予約ジョブ情報とに基づいて、複数の画像形成装置のうちから受電側装置と供給側装置とが決定され、供給側装置に供給指令が送信され、配電装置に配電指令が送信される。配電装置によって、配電指令が入力されることに応じて、供給側装置が備える切換手段と、受電側装置が備える第２受電手段とが接続され、供給側装置によって、供給指令が受け付けられてから蓄電手段の電力量がしきい値に予約ジョブを実行するために必要な電力量を加算した値になるまで蓄電手段を配電装置に接続する接続状態に切り換えられる。このため、供給側装置の蓄電手段の電力が、受電側装置の第２受電手段によって受電され、受電側装置によってジョブが実行される。このため、電力が不足する装置に、電力が不足しない装置から電力を供給することができる。また、供給側装置は、供給指令が受け付けられてから蓄電手段の電力量がしきい値に予約ジョブを実行するために必要な電力量を加算した値になるまで蓄電手段を配電装置に接続するので、供給側装置において、予約ジョブを確実に実行することができる。その結果、電力が不足する装置に電力を供給する装置において、ジョブを確実に実行させることが可能な電力供給システムを提供することができる。
【００１０】
この発明の他の局面によれば、電力供給システムは、複数の画像形成装置と、複数の画像形成装置の状態を監視する管理装置と、配電装置と、を備えた電力供給システムであって、複数の画像形成装置それぞれは、外部電源から受電する第１受電手段と、電力を蓄電する蓄電手段と、蓄電手段が蓄電する電力量を検出する検出手段と、配電装置から受電する第２受電手段と、第１受電手段、第２受電手段および蓄電手段のいずれかから出力される電力を合成し、出力する合成手段と、入力されるジョブを実行するジョブ実行手段と、検出手段により検出される電力量を管理装置に出力する電力量出力手段と、ジョブ実行手段により実行されていない予約ジョブに関する予約ジョブ情報を管理装置に出力する予約ジョブ情報出力手段と、検出手段により検出される電力量が、予め定められたしきい値にジョブ実行手段により実行されていない予約ジョブを実行するために必要な電力量を加算した値以下の場合、電力不足を示す不足信号を管理装置に送信する不足信号送信手段と、蓄電手段を配電装置に接続する接続状態と接続しない切断状態とのいずれかに切り換える切換手段と、を備え、管理装置は、不測信号を受信することに応じて、複数の画像形成装置それぞれから受信される電力量と予約ジョブ情報とに基づいて、複数の画像形成装置のうちから供給側装置を決定する決定手段と、決定された供給側装置に供給指令を送信する供給指令送信手段と、複数の画像形成装置のうち不足信号を送信してきた受電側装置と決定された供給側装置それぞれの装置識別情報を含む配電指令を配電装置に送信する配電指令送信手段と、を備え、配電装置は、複数の画像形成装置それぞれが備える蓄電手段および第２受電手段と接続されており、配電指令が入力されることに応じて、配電指令で特定される供給側装置が備える蓄電手段と、配電指令で特定される受電側装置が備える第２受電手段とを接続する接続手段を、備え、供給側装置は、管理装置から供給指令が受け付けられてから検出手段により検出される電力量が予め定められたしきい値にジョブ実行手段により実行されていない予約ジョブを実行するために必要な電力量を加算した値になるまで切換手段を接続状態に切り換える第２切換制御手段をさらに備える。
【００１１】
この局面に従えば、電力が不足する受電側装置に、電力が不足しない供給側装置から電力を供給することができる。また、供給側装置は、供給指令が受け付けられてから蓄電手段の電力量がしきい値に予約ジョブを実行するために必要な電力量を加算した値になるまで蓄電手段を配電装置に接続するので、供給側装置において、予約ジョブを確実に実行することができる。その結果、電力が不足する装置に電力を供給する装置において、ジョブを確実に実行させることが可能な電力供給システムを提供することができる。
【００１２】
この発明のさらに他の局面によれば、複数の画像形成装置と配電装置とを備えた電力供給システムであって、複数の画像形成装置それぞれは、外部電源から受電する第１受電手段と、電力を蓄電する蓄電手段と、蓄電手段が蓄電する電力量を検出する検出手段と、配電装置から受電する第２受電手段と、第１受電手段、第２受電手段および蓄電手段のいずれかから出力される電力を合成し、出力する合成手段と、入力されるジョブを実行するジョブ実行手段と、検出手段により検出される電力量を複数の画像形成装置のうち要求してきたものに出力する電力量出力手段と、ジョブ実行手段により実行されていない予約ジョブに関する予約ジョブ情報を複数の画像形成装置のうち要求してきたものに出力する予約ジョブ情報出力手段と、蓄電手段を配電装置に接続する接続状態と接続しない切断状態とのいずれかに切り換える切換手段と、を備え、複数の画像形成装置のうち検出手段により検出される電力量が予め定められたしきい値にジョブ実行手段により実行されていない予約ジョブを実行するために必要な電力量を加算した値以下の受電側装置は、複数の画像形成装置のうち他のすべてからそれぞれ受信される電力量と予約ジョブ情報とに基づいて、複数の画像形成装置のうち他のすべてのうちから供給側装置を決定する決定手段と、決定された供給側装置に供給指令を送信する供給指令送信手段と、をさらに備え、複数の画像形成装置のうち供給指令を受信した供給側装置は、供給指令を送信してきた受電側装置と自装置それぞれの装置識別情報を含む配電指令を配電装置に送信する配電指令送信手段と、受電側装置から供給指令が受信されてから検出手段により検出される電力量が予め定められたしきい値にジョブ実行手段により実行されていない予約ジョブを実行するために必要な電力量を加算した値以下になるまで切換手段を接続状態に切り換える第２切換制御手段を、さらに備え、配電装置は、複数の画像形成装置それぞれが備える蓄電手段および第２受電手段と接続されており、配電指令が入力されることに応じて、配電指令で特定される供給側装置が備える蓄電手段と、配電指令で特定される受電側装置が備える第２受電手段とを接続する接続手段を、備える。
【００１３】
この局面に従えば、電力が不足する受電側装置に、電力が不足しない供給側装置から電力を供給することができる。また、供給側装置は、供給指令が受け付けられてから蓄電手段の電力量がしきい値に予約ジョブを実行するために必要な電力量を加算した値になるまで蓄電手段を配電装置に接続するので、供給側装置において、予約ジョブを確実に実行することができる。その結果、電力が不足する装置に電力を供給する装置において、ジョブを確実に実行させることが可能な電力供給システムを提供することができる。
【００１４】
好ましくは、ジョブ実行手段は、複数種類のジョブを実行可能であり、検出手段により検出される電力量がしきい値にジョブ実行手段により実行されていない予約ジョブを実行するために必要な電力量を加算した値以下の間は、第２受電手段が配電装置から受電していなければ、複数種類のジョブのうち予め定められた許可種類のジョブのみを実行する制限手段を含む。
【００１５】
この局面に従えば、特定の種類のジョブを優先的に実行して、電力の消費を抑えることができる。
【００１６】
好ましくは、決定手段は、複数の画像形成装置それぞれについて、受信される電力量から予約ジョブを実行することにより消費される電力を減算した電力量に基づいて、供給側装置を決定する。
【００１７】
好ましくは、しきい値は、外部電源から電力が供給されない期間の平均時間、平均時間における平均ジョブ回数に基づき予測される予測消費電力に基づいて定められた値である。
【００１８】
この発明のさらに他の局面によれば、画像形成装置は、外部電源から受電する第１受電手段と、電力を蓄電する蓄電手段と、蓄電手段が蓄電する電力量を検出する検出手段と、入力されるジョブを実行するジョブ実行手段と、蓄電手段を外部の装置に接続する接続状態と接続しない切断状態とのいずれかに切り換える切換手段と、検出手段により検出された電力量が予め定められたしきい値にジョブ実行手段により実行されていない予約ジョブを実行するために必要な電力量を加算した値以下の場合、切換手段を切断状態に切り換え、外部の装置から供給指令が受け付けられてから検出される電力量が予め定められたしきい値にジョブ実行手段により実行されていない予約ジョブを実行するために必要な電力量を加算した値なるまで切換手段を接続状態に切り換える切換制御手段と、を備える。
【００１９】
この局面に従えば、蓄電手段に蓄電された電力量が、予め定められたしきい値に予約ジョブを実行するために必要な電力量を加算した値以下の場合、蓄電手段を外部の装置に接続しない切断状態に切り換え、外部の装置から供給指令が受け付けられてから蓄電手段に蓄電された電力量が、予め定められたしきい値に予約ジョブを実行するために必要な電力量を加算した値になるまで蓄電手段を外部の装置に接続する接続状態に切り換える。このため、外部の装置から供給指令が受け付けられてから蓄電手段に蓄電された電力量が、予め定められたしきい値に予約ジョブを実行するために必要な電力量を加算した値になるまでの間、外部の装置に電力を供給することができる。また、外部の装置から供給指令が受け付けられてから蓄電手段に蓄電された電力量が、予め定められたしきい値に予約ジョブを実行するために必要な電力量を加算した値になった後は、外部の装置に電力を供給しないので、予約ジョブを確実に実行することができる。その結果、電力が不足する装置に電力を供給するとともに、ジョブを確実に実行することが可能な画像形成装置を提供することができる。
【００２０】
この発明のさらに他の局面によれば、電力供給方法は、外部電源から受電する第１受電手段と、電力を蓄電する蓄電手段と、を備えた画像形成装置で実行される電力供給方法であって、蓄電手段が蓄電する電力量を検出するステップと、入力されるジョブを実行するステップと、検出された電力量が、実行するステップにおいて実行されていない予約ジョブを実行するために必要な電力量を予め定められたしきい値に加算した値以下の場合、蓄電手段を外部の装置に接続しない切断状態に切り換えるステップと、外部の装置から供給指令が受け付けられてから検出される電力量が、実行するステップにおいて実行されていない予約ジョブを実行するために必要な電力量を予め定められたしきい値に加算した値なるまで、蓄電手段を外部の装置に接続する接続状態に切り換えるステップと、を含む。
【００２１】
この局面に従えば、電力が不足する装置に電力を供給するとともに、ジョブを確実に実行することが可能な電力供給方法を提供することができる。
【００２２】
この発明のさらに他の局面によれば、電力供給プログラムは、外部電源から受電する第１受電手段と、電力を蓄電する蓄電手段と、を備えた画像形成装置を制御するコンピュータで実行される電力供給プログラムであって、蓄電手段が蓄電する電力量を検出するステップと、入力されるジョブを実行するステップと、検出された電力量が、実行するステップにおいて実行されていない予約ジョブを実行するために必要な電力量を予め定められたしきい値に加算した値以下の場合、蓄電手段を外部の装置に接続しない切断状態に切り換えるステップと、外部の装置から供給指令が受け付けられてから検出される電力量が、実行するステップにおいて実行されていない予約ジョブを実行するために必要な電力量を予め定められたしきい値に加算した値なるまで、蓄電手段を外部の装置に接続する接続状態に切り換えるステップと、をコンピュータに実行させる。
【００２３】
この局面に従えば、電力が不足する装置に電力を供給するとともに、ジョブを確実に実行することが可能な電力供給プログラムを提供することができる。
【図面の簡単な説明】
【００２４】
【図１】第１の実施の形態における電力供給システムの全体概要を示す図である。
【図２】ＭＦＰのハードウエア構成の一例を示すブロック図である。
【図３】電力管理サーバのハードウエア構成の一例を示すブロック図である。
【図４】第１の実施の形態にけるＭＦＰが備える電源回路の詳細な構成の一例とＣＰＵが備える機能の概要の一例とを示す図である。
【図５】電源モードと第１〜第３スイッチおよび第４スイッチの開閉状態の関係の一例を示す図である。
【図６】状態送信処理の流れの一例を示すフローチャートである。
【図７】電源モード切換処理の流れの一例を示すフローチャートである。
【図８】電力供給処理の流れの一例を示すフローチャートである。
【図９】電力供給サーバが備えるＣＰＵの機能の一例を示すブロック図である。
【図１０】決定処理の流れの一例を示すフローチャートである。
【図１１】電力供給システムにおける処理の流れを示すタイムチャートである。
【図１２】変形例における電源回路の構成の一例とＣＰＵが備える機能の概要の一例とを示す図である。
【図１３】変形例における電源モード切換処理の流れの一例を示すフローチャートである。
【図１４】変形例における決定処理の流れの一例を示すフローチャートである。
【図１５】変形例における電力供給システムにおける処理の流れを示すタイムチャートである。
【図１６】第２の実施の形態における電力供給システムの全体概要を示す図である。
【図１７】第２の実施の形態にけるＭＦＰが備える電源回路の詳細な構成の一例とＣＰＵが備える機能の概要の一例とを示す図である。
【図１８】供給装置決定部の詳細な機能の一例を示すブロック図である。
【図１９】第２の実施の形態における電源モード切換処理の流れの一例を示すフローチャートである。
【図２０】供給装置決定処理の流れの一例を示すフローチャートである。
【図２１】第２の実施の形態における電力供給処理の流れの一例を示すフローチャートである。
【図２２】第２の実施の形態における電力供給システムにおける処理の流れを示すタイムチャートである。
【発明を実施するための形態】
【００２５】
以下、本発明の実施の形態について図面を参照して説明する。以下の説明では同一の部品には同一の符号を付してある。それらの名称および機能も同じである。したがってそれらについての詳細な説明は繰り返さない。
【００２６】
＜第１の実施の形態＞
図１は、第１の実施の形態における電力供給システムの全体概要を示す図である。図１を参照して、電力供給システム１は、第１〜第３複合機（ＭｕｌｔＩ／Ｆｕｎｃｔｉｏｎ  Ｐｅｒｉｐｈｅｒａｌ）（以下、「ＭＦＰ」という）１００，１００Ａ，１００Ｂと、管理装置として機能する電力管理サーバ２００と、配電装置３００と、パーソナルコンピュータ（ＰＣ）４０１と、ファイルサーバ４０３と、電気機器４０５と、を含む。
【００２７】
第１〜第３ＭＦＰ１００，１００Ａ，１００Ｂは、画像形成装置の一例であり、スキャナ機能、プリンタ機能、コピー機能、ファクシミリ機能等の複数の機能を備える。電力管理サーバ２００は、一般的なコンピュータであり、第１〜第３ＭＦＰ１００，１００Ａ，１００Ｂ、ＰＣ４０１と、ファイルサーバ４０３および電気機器４０５の電力の配電を管理する。電気機器は、一般的な家電機器を示し、例えば、照明機器、空調機器、音響機器、映像機器等などである。
【００２８】
ＰＣ４０１およびファイルサーバ４０３は、一般的なコンピュータであり、そのハードウエア構成および機能は周知なので、ここでは説明を繰り返さない。
【００２９】
ネットワーク３は、ローカルエリアネットワーク（ＬＡＮ）であり、有線および無線の別を問わない。ＭＦＰ１００，１００Ａ，１００Ｂ、電力管理サーバ２００、配電装置３００、ＰＣ４０１およびファイルサーバ４０３は、ネットワーク３に接続されており、ネットワーク３を介して互いに通信可能である。なお、ネットワーク３は、ＬＡＮに限らず、インターネット、ワイドエリアネットワーク（ＷＡＮ）または公衆交換電話網等であってもよい。
【００３０】
第１〜第３ＭＦＰ１００，１００Ａ，１００Ｂ、電力管理サーバ２００、ＰＣ４０１、ファイルサーバ４０３および電気機器４０５は、主電源に接続され、主電源から電力の供給を受けて駆動する。主電源は、太陽光発電、燃料電池による発電、風力発電等による自家発電装置である。なお、主電源は、自家発電装置に限らず、商用電源であってもよい。第１〜第３ＭＦＰ１００，１００Ａ，１００Ｂ、電力管理サーバ２００、ＰＣ４０１、ファイルサーバ４０３は、無停電電源としてのバッテリを備えており、主電源から電力が供給されない場合であっても、バッテリから電力の供給を受けて駆動可能である。
【００３１】
配電装置３００は、第１〜第３ＭＦＰ１００，１００Ａ，１００Ｂ、電力管理サーバ２００、ＰＣ４０１およびファイルサーバ４０３それぞれが備えるバッテリと、入力線で接続されており、さらに、第１〜第ＭＦＰ１００，１００Ａ，１００Ｂ、電力管理サーバ２００、ＰＣ４０１、ファイルサーバ４０３および電気機器４０５それぞれの電源回路と出力線で接続されている。配電装置３００は、電力管理サーバ２００からの指示に基づいて、第１〜第３ＭＦＰ１００，１００Ａ，１００Ｂ、電力管理サーバ２００、ＰＣ４０１およびファイルサーバ４０３のうちから１以上を供給側装置として選択し、選択された１以上の供給側装置が備えるバッテリと接続される入力線を、第１〜第３ＭＦＰ１００，１００Ａ，１００Ｂ、電力管理サーバ２００、ＰＣ４０１、ファイルサーバ４０３および電気機器４０５のうちから選択された１以上の受電側装置の電力回路に接続される出力線と接続する。これにより、１以上の供給側装置が備えるバッテリの電力が、１以上の受電側装置に供給される。
【００３２】
なお、本実施の形態においては、配電装置３００が、第１〜第３ＭＦＰ１００，１００Ａ，１００Ｂ間の配電を制御する場合を例に説明する。さらに、第１〜第３ＭＦＰ１００，１００Ａ，１００Ｂが
ＭＦＰ１００，１００Ａ，１００Ｂのハードウエア構成および機能は同じなので、ここでは、ＭＦＰ１００を例に説明する。図２は、ＭＦＰのハードウエア構成の一例を示すブロック図である。図２を参照して、ＭＦＰ１００は、メイン回路１０１と、自動原稿読取装置（ＡＤＦ）１０と、原稿読取部２０と、画像形成部３０と、給紙部４０と、ＭＦＰ１００の全体に電力を供給する電源回路５０と、ユーザインターフェースとしての操作パネル１３と、を含む。
【００３３】
ＡＤＦ１０は、原稿給紙トレイ上にセットされた複数枚の原稿を１枚ずつ自動的に原稿読取部２０のプラテンガラス上に設定された所定の原稿読取位置まで搬送し、原稿読取部２０により原稿画像が読み取られた原稿を原稿排紙トレイ上に排出する。原稿読取部２０は、原稿読取位置に搬送されてきた原稿に光を照射する光源と、原稿で反射した光を受光する光電変換素子とを含み、原稿のサイズに応じた原稿画像を走査する。光電変換素子は、受光した光を電気信号である読取画像に変換して、メモリに記憶する、または画像形成部３０に出力する。
【００３４】
画像形成部３０は、周知の電子写真方式により画像を形成するものであって、原稿読取部２０から入力される読取画像にシェーディング補正などの各種のデータ処理を施し、データ処理後の読取画像に基づいて、給紙部４０により搬送される用紙に画像を形成する。給紙部４０は、給紙トレイに収納された用紙を画像形成部３０に搬送する。
【００３５】
メイン回路１０１は、ＣＰＵ１１１と、通信インターフェース（Ｉ／Ｆ）部１１２と、ＲＯＭ（Ｒｅａｄ  Ｏｎｌｙ  Ｍｅｍｏｒｙ）１１３と、ＲＡＭ（Ｒａｎｄｏｍ  Ａｃｃｅｓｓ  Ｍｅｍｏｒｙ）１１４と、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）１１５と、大容量記憶装置としてのハードディスクドライブ（ＨＤＤ）１１６と、ファクシミリ部１１７と、ネットワークＩ／Ｆ１１８と、ＣＤ−ＲＯＭ（Ｃｏｍｐａｃｔ  Ｄｉｓｋ  Ｒｅａｄ  Ｏｎｌｙ  Ｍｅｍｏｒｙ）１１９Ａが装着される外部記憶装置１１９と、を含む。ＣＰＵ１１１は、ＡＤＦ１０、原稿読取部２０、画像形成部３０、給紙部４０および操作パネル１３と接続され、ＭＦＰ１００の全体を制御する。
【００３６】
ＲＯＭ１１３は、ＣＰＵ１１１が実行するプログラム、およびそのプログラムを実行するために必要なデータを記憶する。ＲＡＭ１１４は、ＣＰＵ１１１がプログラムを実行する際の作業領域として用いられる。
【００３７】
通信Ｉ／Ｆ部１１２は、ＭＦＰ１００を他の装置とシリアル通信ケーブルで接続するためのインターフェースである。なお、接続形態は、有線であっても無線であってもよい。
【００３８】
ファクシミリ部１１７は、公衆交換電話網（ＰＳＴＮ）に接続され、ＰＳＴＮにファクシミリデータを送信する、またはＰＳＴＮからファクシミリデータを受信する。ファクシミリ部１１７は、受信したファクシミリデータを、ＨＤＤ１１６に記憶する、または画像形成部３０に出力する。画像形成部３０は、ファクシミリ部１１７により受信されたファクシミリデータを用紙に印刷する。また、ファクシミリ部１１７は、ＨＤＤ１１６に記憶されたデータをファクシミリデータに変換して、ＰＳＴＮに接続されたファクシミリ装置に送信する。
【００３９】
ネットワークＩ／Ｆ１１８は、ＭＦＰ１００をネットワーク３に接続するためのインターフェースである。ＣＰＵ１１１は、ネットワークＩ／Ｆ１１８を介してネットワーク３に接続されたＭＦＰ１００Ａ，１００Ｂ、電力管理サーバ２００および配電装置３００と通信する。
【００４０】
外部記憶装置１１９は、ＣＤ−ＲＯＭ１１９Ａが装着される。ＣＰＵ１１１は、外部記憶装置１１９を介してＣＤ−ＲＯＭ１１９Ａにアクセス可能であり、ＣＤ−ＲＯＭ１１９Ａに記憶されたプログラムをＲＡＭ１１４にロードして実行可能である。なお、ＣＰＵ１１１が実行するプログラムは、ＣＤ−ＲＯＭ１１９Ａに記憶されたプログラムに限られず、他の記憶媒体に記憶されたプログラムでもよく、ＨＤＤ１１６に記憶されたプログラムであってもよく、さらに、ネットワークＩ／Ｆ１１８を介してネットワーク３に接続された他のコンピュータによりＨＤＤ１１６に書き込みされたプログラムであってもよい。
【００４１】
なお、プログラムを記憶する記憶媒体としては、ＣＤ−ＲＯＭ１１９Ａに限られず、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）などの半導体メモリでもよい。
【００４２】
ここでいうプログラムは、ＣＰＵ１１１が直接実行可能なプログラムだけでなく、ソースプログラム、圧縮処理されたプログラム、暗号化されたプログラム等を含む。
【００４３】
操作パネル１３は、ＭＦＰ１００の上面に設けられ、表示部１０３と、操作部１０５とを含む。表示部１０３は、液晶表示装置、有機ＥＬＤ（Ｅｌｅｃｔｒｏｌｕｍｉｎｅｓｃｅｎｃｅ  Ｄｉｓｐｌａｙ）等の表示装置であり、ユーザに対する指示メニューや取得した表示データに関する情報等を表示する。操作部１０５は、ユーザの操作を受け付け、受け付けられた操作をＣＰＵ１１１に出力する。操作部１０５は、表示部１０３の上に重畳して配置されたタッチパネルを含む。タッチパネルは、透明な部材からなり、表示部１０３に重畳して配置される。タッチパネルは、ユーザがタッチパネルを指で触れると、触れられた位置を指示位置として検出し、ＣＰＵ１１１に出力する。
【００４４】
電源回路５０は、主電源である自家発電装置および配電装置３００と接続され、自家発電装置および配電装置３００のいずれかまたは双方から受電される電力を、ＭＦＰ１００のシステム全体に供給する。また、電源回路５０は、バッテリを内蔵しており、バッテリに蓄積された電力を、ＭＦＰ１００のシステム全体および／または配電装置３００に供給する。電源回路５０の詳細は、後述する。
【００４５】
図３は、電力管理サーバのハードウエア構成の一例を示すブロック図である。図３を参照して、電力管理サーバ２００は、電力管理サーバ２００の全体を制御するためのＣＰＵ２０１と、ＣＰＵ２０１が実行するプログラム等を記憶するためのＲＯＭ２０２と、ＣＰＵ２０１の作業領域として用いられるＲＡＭ２０３と、ＰＣ２００をネットワークに接続するためのネットワークＩ／Ｆ２０４と、大容量記憶装置としてのＨＤＤ２０５と、表示部２０６と、ユーザの操作の入力を受け付ける操作部２０７と、ＣＤ−ＲＯＭ（Ｃｏｍｐａｃｔ  Ｄｉｓｃ−Ｒｅａｄ  Ｏｎｌｙ  Ｍｅｍｏｒｙ）２０９が装着される外部記憶装置２０８と、を含む。
【００４６】
外部記憶装置２０８には、ＣＤ−ＲＯＭ２０９が装着される。ＣＤ−ＲＯＭ２０９には、ＣＰＵ２０１が実行可能なプログラムが記憶されており、ＣＰＵ２０１は、外部記憶装置２０８を制御して、ＣＤ−ＲＯＭ２０９からプログラムを読出し、読み出したプリントジョブ制御プログラムをＲＡＭ２０３にロードして実行する。
【００４７】
なお、プログラムを記憶する記録媒体としては、ＣＤ−ＲＯＭ２０９に限られず、フレキシブルディスク、カセットテープ、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリでもよい。さらに、ＣＰＵ２０１がネットワーク３に接続された他のコンピュータからプログラムをダウンロードしてＨＤＤ２０５に記憶する、または、他のコンピュータがプログラムをＨＤＤ２０５に書き込みするようにして、ＨＤＤ２０５に記憶されたプログラムをＲＡＭ２０３にロードしてＣＰＵ２０１で実行するようにしてもよい。ここでいうプログラムは、ＣＰＵ２０１により直接実行可能なプログラムだけでなく、ソースプログラム、圧縮処理されたプログラム、暗号化されたプログラム等を含む。
【００４８】
図４は、第１の実施の形態にけるＭＦＰが備える電源回路の詳細な構成の一例とＣＰＵが備える機能の概要の一例とを示す図である。図４に示すＣＰＵ１１１の機能は、ＣＰＵ１１１がＲＯＭ１１３、ＥＥＰＲＯＭ１１５、ＨＤＤ１１６またはＣＤ−ＲＯＭ１１９Ａに記憶された電力供給プログラムを実行することにより実現される。
【００４９】
図４を参照して、電源回路５０は、主電源と接続される第１受電回路１２１と、バッテリ１２５と、配電装置３００の出力線と接続される入力端子１３１と、入力端子１３１と接続される第２受電回路１２３と、合成部１２７と、配電装置３００の入力線と接続される出力端子１２９と、を含む。
【００５０】
合成部１２７は、第１〜第３スイッチＳＷ１，ＳＷ２，ＳＷ３を含む。第１受電回路１２１は、その入力端子が主電源と接続されており、主電源から供給される電力を受電する。また、第１受電回路１２１は、その出力端子が合成部１２７の第１スイッチＳＷ１と接続さる。なお、主電源から供給される電力が交流の場合、第１受電回路１２１は、変圧器および整流器を含み、交流を所定の電圧の直流に変換する。
【００５１】
バッテリ１２５は、鉛蓄電池、リチウムイオン二次電池、リチウムイオンポリマー二次電池、ニッケル・水素蓄電池、ニッケル・カドミウム蓄電池、ニッケル・鉄蓄電池、ニッケル・亜鉛蓄電池等の二次電池である。第１受電回路１２１と合成部１２７の第１スイッチＳＷ１とを接続する接続線の点Ｐは、第４スイッチＳＷ４を介して合成部１２７の第２スイッチＳＷ２と接続される。バッテリ１２５は、第４スイッチＳＷ４と合成部１２７の第２スイッチＳＷ２とを接続する接続線の途中に接続されており、第４スイッチＳＷ４が閉じた状態で、第１受電回路１２１から供給される電力の一部を蓄電する。
【００５２】
第２受電回路１２３は、入力端子１３１を介して配電装置３００の出力線と接続される。第２受電回路１２３は、配電装置３００が出力線を介して供給する電力を受電する、第２受電回路１２３の出力端子は、合成部１２７が備える第３スイッチＳＷ３と接続される。
【００５３】
出力端子１２９は、配電装置３００の入力線と接続され、配電装置３００の入力線を第５スイッチＳＷ５の一端と接続する。第５スイッチＳＷ５の他端は、第４スイッチＳＷ４と合成部１２７の第２スイッチＳＷ２とを接続する接続線の点Ｐ２と接続される。このため、第５スイッチＳＷ５が閉じた状態では、バッテリ１２５から供給される電力が、出力端子１２９を介して配電装置３００の入力線に供給され、第５スイッチＳＷ５が開いた状態では、バッテリ１２５から供給される電力は配電装置３００の入力線に供給されない。
【００５４】
合成部１２７は、ＣＰＵ１１１により制御され、第１〜第３スイッチＳＷ１，ＳＷ２，ＳＷ３を開閉することにより、第１受電回路１２１、第２受電回路１２３およびバッテリ１２５のいずれかから出力される電力を合成し、ＭＦＰ１００の全体に出力する。第１スイッチＳＷ１は、一端が第１受電回路１２１の出力と接続され、他端が合成部１２７の出力端子に接続される。第２スイッチＳＷ２は、一端がバッテリ１２５に接続され、他端が合成部１２７の出力端子に接続される。第３スイッチＳＷ３は、一端が第２受電回路１２３の出力端子に接続され、他端が合成部１２７の出力端子に接続される。第１スイッチＳＷ１が閉じた状態では、第１受電回路１２１から出力される電力が合成部１２７の出力端子からシステム全体に出力され、第２スイッチＳＷ２が閉じた状態では、バッテリ１２５から出力される電力が合成部１２７の出力端子からシステム全体に出力され、第３スイッチＳＷ３が閉じた状態では、第２受電回路１２３から出力される電力が合成部１２７の出力端子からシステム全体に出力される。
【００５５】
第１スイッチＳＷ１、第２スイッチＳＷ２、第３スイッチＳＷ３は、独立して開閉する。このため、第１スイッチＳＷ１と第２スイッチＳＷ２とが閉じた状態で、第３スイッチＳＷ３が開いた状態の場合、第１受電回路１２１から供給される電力と、バッテリ１２５から供給される電力とを合成した電力が合成部１２７の出力端子からシステム全体に出力される。また、第１スイッチＳＷ１、第２スイッチＳＷ２および第３スイッチＳＷ３がすべて閉じた状態の場合、第１受電回路１２１から供給される電力と、バッテリ１２５から供給される電力と、第２受電回路１２３から供給される電力とを合成した電力が合成部１２７の出力端子からシステム全体に出力される。なお、各接続線は、逆流を防止するために、例えばダイオードが配置される。
【００５６】
ＣＰＵ１１１は、第１受電回路１２１の出力電圧を検出する第１検出部６３と、バッテリ１２５の出力電圧を検出する第２検出部６５と、第２受電回路１２３の出力電圧を検出する第３検出部６１と、所定の処理を実行するジョブ実行部５１と、予約ジョブ情報出力部５３と、電力出力部５７と、不足判断部５５と、合成部１２７および第４，第５スイッチＳＷ４，ＳＷ５を制御する切換制御部６７と、供給指令受信部６９と、を含む。
【００５７】
第１検出部６３は、第１受電回路１２１と合成部１２７の第１スイッチＳＷ１とを接続する接続線の点Ｐ１と接続され、点Ｐ１における電圧を検出する。第１検出部６３は、検出した点Ｐ１の電圧を第１受電回路１２１の出力電圧として切換制御部６７に出力する。
【００５８】
第２検出部６５は、バッテリ１２５と合成部１２７の第２スイッチＳＷ２とを接続する接続線の点Ｐ２と接続され、第２スイッチＳＷ２、第４スイッチＳＷ４および第５スイッチＳＷ５のすべてが開いた状態における点Ｐ２の電圧を検出する。第２検出部６５は、点Ｐ２の電圧からバッテリ１２５に蓄積されている電力量を算出し、算出された電力量を、ジョブ実行部５１、不足判断部５５および電力出力部５７に出力する。
【００５９】
第３検出部６１は、第２受電回路１２３と合成部１２７の第３スイッチＳＷ３とを接続する接続線の点Ｐ３と接続され、点Ｐ３における電圧を検出する。第３検出部６１は、検出した点Ｐ３の電圧を第２受電回路１２３の出力電圧としてジョブ実行部５１に出力する。
【００６０】
ジョブ実行部５１は、外部から入力されるジョブを実行する。ジョブは、ネットワークＩ／Ｆ１１８がＰＣ４０１から受信するプリントジョブ、ファクシミリ部１１７がＰＳＴＮから受信するファクシミリデータを受信およびプリントするファクシミリ受信ジョブ、ユーザが操作部１０５を操作することにより入力される入力ジョブを含む。入力ジョブは、原稿を複写するためのコピージョブ、ファクシミリ送信のためのファクシミリ送信ジョブ、原稿をスキャンするスキャンジョブを含む。ジョブ実行部５１は、外部から入力されるジョブを実行する途中に、別のジョブが入力される場合、２つのジョブを並列して実行することができる場合とできない場合とがある。例えば、コピージョブとファクシミリ受信ジョブとを並列して実行することができるが、画像形成装部３０を駆動させるコピージョブとプリントジョブとを並列して実行することができない。
【００６１】
ジョブ実行部５１は、１つのジョブを実行している最中に、それと並列して実行することができない別のジョブが入力されると、別のジョブを予約ジョブとしてＲＡＭ１１４に一時記憶する。ＲＡＭ１１４には、複数の予約ジョブを記憶することができる。ジョブ実行部５１は、ＲＡＭ１１４に予約ジョブを一時記憶する場合、予約ジョブを予約ジョブ情報出力部５３に出力する。
【００６２】
予約ジョブ情報出力部５３は、ジョブ実行部５１から入力される予約ジョブに関する予約ジョブ情報を不足判断部５５に出力するとともに、電力管理サーバ２００からの要求に応じて電力管理サーバ２００に送信する。予約ジョブ情報は、予約ジョブを実行することにより消費される消費電力を少なくとも含む。予約ジョブ情報出力部５３は、ネットワークＩ／Ｆ１１８が電力管理サーバ２００から状態要求を受信することに応じて、ネットワークＩ／Ｆ１１８を介して予約ジョブ情報を電力管理サーバ２００に送信する。
【００６３】
電力出力部５７は、電力管理サーバ２００からの要求に応じて、第２検出部６５から入力されるバッテリ１２５の電力量を送信する。電力出力部５７は、ネットワークＩ／Ｆ１１８が電力管理サーバ２００から状態要求を受信することに応じて、ネットワークＩ／Ｆ１１８を介して電力量を電力管理サーバ２００に送信する。
【００６４】
不足判断部５５は、第２検出部６５からバッテリ１２５の電力量が入力され、予約ジョブ情報出力部５３から予約ジョブ情報が入力される。不足判断部５５は、予約ジョブ情報に含まれる消費電力の合計をバッテリ１２５の電力量から減算した値が、所定のしきい値以下となる場合、バッテリ１２５の電力量が不足すると判断する。不足判断部５５は、バッテリ１２５の電力量が不足すると判断する場合、不足信号を切換制御部６７に出力する。所定のしきい値は、予め定められた値であり、例えば、主電源から電力が供給されない期間の平均時間、平均時間における平均ジョブ回数に基づき予測される予測消費電力に基づいて定められる。
【００６５】
切換制御部６７は、合成部１２７が備える第１〜第３スイッチＳＷ１，ＳＷ２，ＳＷ３、第４スイッチＳＷ４および第５スイッチＳＷ５それぞれの開閉を制御する。切換制御部６７は、第１検出部６３から第１受電回路１２１の出力電圧が入力され、不足判断部５５から不足信号が入力される。切換制御部６７は、第１受電回路１２１の出力電圧と、不足信号の有無によって、電源モードを切り換え、第１〜第３スイッチＳＷ１，ＳＷ２，ＳＷ３、第４スイッチＳＷ４を電源モードに対応して予め定められた状態に切り換える。
【００６６】
第１受電回路１２１の出力電圧が予め定められたしきい値以上ならば電源モードを主電源モードに切り換え、第１受電回路１２１の出力電圧が予め定められたしきい値より小さく、かつ不足信号が入力されていない間は補助電源モードに切り換え、第１受電回路１２１の出力電圧が予め定められたしきい値より小さく、かつ不足信号が入力されている間は外部電源モードに切り換える。
【００６７】
図５は、電源モードと第１〜第３スイッチおよび第４スイッチの開閉状態の関係の一例を示す図である。図５中「ＯＮ」は閉状態を示し、「ＯＦＦ」は開状態を示す。切換制御部６７は、電源モードを主電源モードに切り換える場合、第１および第４スイッチＳＷ１，ＳＷ４を閉状態にし、第２および第３スイッチＳＷ２，ＳＷ３を開状態とする。主電源モードにおいては、第１受電回路１２１が主電源から受電する電力がシステム全体に供給されるとともに、バッテリ１２５が満充電状態になるまで、主電源から受電する電力の一部がバッテリ１２５に蓄電される。
【００６８】
切換制御部６７は、電源モードを補助電源モードに切り換える場合、第１、第２スイッチＳＷ１，ＳＷ２を閉状態にし、第３および第４スイッチＳＷ３，ＳＷ４を開状態とする。補助電源モードにおいては、第１受電回路１２１が主電源から受電する電力およびバッテリ１２５に蓄電された電力を合成した電力がシステム全体に供給される。
【００６９】
切換制御部６７は、電源モードを外部電源モードに切り換える場合、第１〜第３スイッチＳＷ１，ＳＷ２，ＳＷ３を閉状態にし、第４スイッチＳＷ４を開状態とする。外部電源モードにおいては、第１受電回路１２１が主電源から受電する電力、バッテリ１２５に蓄電された電力、および第２受電回路１２３が配電装置３００から受電する電力を合成した電力がシステム全体に供給される。
【００７０】
供給指令受信部６９は、ネットワークＩ／Ｆ１１８が電力管理サーバ２００から供給指令を受信することに応じて、切換制御部６７に供給指示を出力する。
【００７１】
切換制御部６７は、供給指令受信部６９から供給指示が入力されてから不足判断部５５から不足信号が入力されるまでの供給期間だけ第５スイッチＳＷ５を閉状態にするが、供給期間以外の期間は第５スイッチＳＷ５を開状態とする。換言すれば、切換制御部６７は、第５スイッチＳＷ５を開状態にしており、供給指令受信部６９から供給指示が入力されると、不足判断部５５から不足信号が入力されていないことを条件に、第５スイッチＳＷを閉状態にし、その後、不足判断部５５から不足信号が入力されると、第５スイッチＳＷを開状態にする。第５スイッチＳＷ５が閉状態の場合、バッテリ１２５に蓄電された電力が配電装置３００に供給され、第５スイッチＳＷ５が開状態の場合、バッテリ１２５に蓄電された電力が配電装置３００に供給されない。
【００７２】
図６は、状態送信処理の流れの一例を示すフローチャートである。状態送信処理は、ＭＦＰ１００が備えるＣＰＵ１１１がＲＯＭ１１３、ＥＥＰＲＯＭ１１５、ＨＤＤ１１６またはＣＤ−ＲＯＭ１１９Ａに記憶された電力供給プログラムを実行することにより、ＣＰＵ１１１により実行される処理である。
【００７３】
図６を参照して、ＣＰＵ１１１は、ネットワークＩ／Ｆ１１８が、電力管理サーバ２００から状態要求を受信したか否かを判断する。状態要求を受信するまで待機状態となり（ステップＳ３１でＮＯ）、状態要求を受信すると（ステップＳ３１でＹＥＳ）、処理をステップＳ３２に進める。換言すれば、状態送信処理は、ネットワークＩ／Ｆ１１８が電力管理サーバ２００から状態要求を受信することを条件に実行される処理である。
【００７４】
ステップＳ３２においては、バッテリ１２５の出力電圧Ｖ２を検出する。次のステップＳ３３においては、バッテリ１２５の出力電圧Ｖ２に基づいてバッテリ１２５の電力量を算出する。バッテリ１２５の出力電圧と蓄電容量との関係を予め定めたテーブルをＥＥＰＲＯＭ１１５に記憶しておき、検出された出力電圧Ｖ２に対応する蓄電容量をバッテリ１２５の電力量とする。次のステップＳ３４においては、算出されたバッテリ１２５の電力量をネットワークＩ／Ｆ１１８を介して電力管理サーバ２００に送信する。
【００７５】
次のステップＳ３５においては、予約ジョブが存在するか否かを判断する。ＲＡＭ１１４に予約ジョブが記憶されていれば予約ジョブが存在すると判断する。予約ジョブが存在するならば処理をステップＳ３６に進めるが、そうでなければステップへ３６をスキップして処理を終了する。ステップＳ３６においては、予約ジョブ情報をネットワークＩ／Ｆ１１８を介して電力管理サーバ２００に送信する。
【００７６】
図７は、電源モード切換処理の流れの一例を示すフローチャートである。電源モード切換処理は、ＭＦＰ１００が備えるＣＰＵ１１１がＲＯＭ１１３、ＥＥＰＲＯＭ１１５、ＨＤＤ１１６またはＣＤ−ＲＯＭ１１９Ａに記憶された電力供給プログラムを実行することにより、ＣＰＵ１１１により実行される処理である。
【００７７】
図７を参照して、ＣＰＵ１１１は、主電源電圧Ｖ１が予め定められたしきい値Ｔ２以上か否かを判断する。第１受電回路１２１の出力電圧を主電源電圧として検出し、検出した主電源電圧Ｖ１をしきい値Ｔ２とを比較する。主電源電圧Ｖ１がしきい値Ｔ２以上ならば処理をステップＳ１２に進めるが、そうでなければ処理をステップＳ１３に進める。
【００７８】
ステップＳ１２においては、電源モードを主電源モードに切り換え、処理をステップＳ１１に戻す。したがって、主電源電圧Ｖ１がしきい値Ｔ２以上の間は電源モードが主電源モードに切り換えられる。
【００７９】
ステップＳ１３においては、電源モードを補助電源モードに切り換え、処理をステップＳ１４に進める。ステップＳ１４においては、ステップＳ１１と同様に、主電源電圧Ｖ１をしきい値Ｔ２とを比較する。主電源電圧Ｖ１がしきい値Ｔ２以上ならば処理をステップＳ１２に進めるが、そうでなければ処理をステップＳ１５に進める。主電源電圧Ｖ１がしきい値Ｔ２より小さくなった場合に補助電源モードに切り換えられるが、その後主電源電圧Ｖ１が再びしきい値Ｔ２以上になれば、主電源モードに切り換える。
【００８０】
ステップＳ１５においては、バッテリ１２５の出力電圧Ｖ２を検出する。そして、予約ジョブが存在するか否かを判断する（ステップＳ１６）。予約ジョブが存在するならば処理をステップＳ１７に進めるが、そうでなければ処理をステップＳ２０に進める。ステップＳ２０においては、バッテリ１２５の出力電圧Ｖ２をしきい値Ｔ１と比較する。バッテリ１２５の出力電圧Ｖ２がしきい値Ｔ１以下ならば処理をステップＳ２１に進めるが、そうでなければ処理をステップＳ１４に戻す。
【００８１】
ステップＳ２１においては、電源モードを外部電源モードに切り換える。補助電源モードにおいては、バッテリ１２５に蓄積された電力がシステム全体に供給されるが、時間の経過と共にバッテリ１２５の蓄電容量が減少する。そして、バッテリ１２５の蓄電容量が減少すると、バッテリ１２５の出力電圧Ｖ２が減少するので、その出力電圧Ｖ２がしきい値Ｔ１以下となるまでバッテリ１２５から電力を供給し、バッテリ１２５の出力電圧Ｖ２がしきい値Ｔ１以下となった時点で、処理をステップＳ２１に進め、外部電源モードに切り換える。
【００８２】
一方、ステップＳ１７においては、予約ジョブを実行した後のバッテリ１２５の出力電圧ＰＶを予測する。ステップＳ１５において検出されたバッテリ１２５の出力電圧Ｖ２からバッテリ１２５の蓄電容量を算出し、予約ジョブによって消費される電力をバッテリ１２５の蓄電容量から減算した値に基づいて予約ジョブを実行した後のバッテリ１２５の出力電圧ＰＶを算出する。次のステップＳ１８においては、予測されたバッテリ１２５の出力電圧ＰＶをしきい値Ｔ１と比較する。予測されたバッテリ１２５の出力電圧ＰＶがしきい値Ｔ１以下ならば処理をステップＳ２１に進めるが、そうでなければ処理をステップＳ１９に進める。補助電源モードにおいては、バッテリ１２５に蓄電された電力が供給されるが、予約ジョブが存在する場合には、バッテリ１２５の出力電圧Ｖ２がしきい値Ｔ１以下になる前であっても、外部電源モードに切り換えられる。このため、予約ジョブを実行するだけの電力がバッテリ１２５に確保されるので、予約ジョブを確実に実行することができる。
【００８３】
ステップＳ１９においては、ステップＳ１１と同様に、主電源電圧Ｖ１をしきい値Ｔ２とを比較する。主電源電圧Ｖ１がしきい値Ｔ２以上ならば処理をステップＳ１２に進めるが、そうでなければ処理をステップＳ１５に戻す。
【００８４】
ステップＳ２１においては、電源モードを外部電源モードに切り換え、処理をステップＳ２２に進める。ステップＳ２２においては、外部電源電圧Ｖ３を検出する。第２受電回路１２３の出力電圧を外部電源電圧Ｖ３として検出する。次のステップＳ２３においては、検出された外部電源電圧Ｖ３が正か否かを判断する。外部電源電圧Ｖ３が正ならば処理をステップＳ２４に進めるが、そうでなければ処理をステップＳ２７に進める。
【００８５】
ステップＳ２７においては、実行可能ジョブを制限する。実行可能なジョブを制限することによって、バッテリ１２５の消耗を少なくし、必要な種類のジョブだけを実行可能とする。次のステップＳ２８においては、バッテリ１２５の出力電圧Ｖ２を再度検出する。そして、バッテリ１２５の出力電圧Ｖ２をしきい値Ｔ３と比較する（ステップＳ２９）。バッテリ１２５の出力電圧Ｖ２がしきい値Ｔ３以下ならば、処理をステップＳ３０に進めるが、そうでなければ処理をステップＳ２２に戻す。しきい値Ｔ３は、しきい値Ｔ１よりも小さな値であり、バッテリ１２５がシステム全体に必要な電力を供給するのに必要な最低の蓄電容量に基づき予め定められた値である。ステップＳ３０においては、ＭＦＰ１００の電源をＯＦＦにし、処理を終了する。バッテリ１２５の蓄電容量が減少し、ＭＦＰ１００が駆動することができないからである。
【００８６】
一方、ステップＳ２４においては、実行可能なジョブが制限されているか否かを判断する。上述してステップＳ２７においてジョブの実行が制限される場合があり、実行可能なジョブが制限されているならば処理をステップＳ２５に進めるが、そうでなければステップＳ２５をスキップして処理をステップＳ２６に進める。ステップＳ２５においては、実行可能なジョブの制限を解除し、処理をステップＳ２６に進める。ステップＳ２６においては、ステップＳ１１と同様に、主電源電圧Ｖ１をしきい値Ｔ２とを比較する。主電源電圧Ｖ１がしきい値Ｔ２以上ならば処理をステップＳ１２に進めるが、そうでなければ処理をステップＳ２２に戻す。
【００８７】
図８は、電力供給処理の流れの一例を示すフローチャートである。電力供給処理は、ＭＦＰ１００が備えるＣＰＵ１１１がＲＯＭ１１３、ＥＥＰＲＯＭ１１５、ＨＤＤ１１６またはＣＤ−ＲＯＭ１１９Ａに記憶された電力供給プログラムを実行することにより、ＣＰＵ１１１により実行される処理である。
【００８８】
図８を参照して、ＣＰＵ１１１は、ネットワークＩ／Ｆ１１８が電力管理サーバ２００から供給指令を受信したか否かを判断する（ステップＳ４１）。供給指令を受信するまで待機状態となり（ステップＳ４１でＮＯ）、供給指令を受信すると（ステップＳ４１でＹＥＳ）、処理をステップＳ４２に進める。換言すれば、電力供給処理は、電力管理サーバ２００から供給指令を受信することを条件に実行される処理である。
【００８９】
ステップＳ４２においては、第５スイッチＳＷ５を閉じる。これにより、バッテリ１２５に蓄電された電力が配電装置３００を介して、他の装置、例えば、ＭＦＰ１００Ａ，１００Ｂに供給される。
【００９０】
次のステップＳ４３においては、バッテリ１２５の出力電圧Ｖ２を検出する。そして、予約ジョブが存在するか否かを判断する（ステップＳ４４）。予約ジョブが存在するならば処理をステップＳ４５に進めるが、そうでなければ処理をステップＳ４８に進める。ステップＳ４８においては、バッテリ１２５の出力電圧Ｖ２をしきい値Ｔ１と比較する。バッテリ１２５の出力電圧Ｖ２がしきい値Ｔ１以下ならば処理をステップＳ５０に進めるが、そうでなければ処理をステップＳ４９に進める。
【００９１】
ステップＳ４９においては、電源モードが主電源モードか否かを判断する。主電源モードならば処理をステップＳ５０に進めるが、そうでなければ処理をステップＳ４３に戻す。
【００９２】
一方、ステップＳ４６においては、予約ジョブを実行した後のバッテリ１２５の出力電圧ＰＶを予測する。ステップＳ４３において検出されたバッテリ１２５の出力電圧Ｖ２からバッテリ１２５の蓄電容量を算出し、予約ジョブによって消費される電力をバッテリ１２５の蓄電容量から減算した値に基づいて予約ジョブを実行した後のバッテリ１２５の出力電圧ＰＶを算出する。次のステップＳ４６においては、予測されたバッテリ１２５の出力電圧ＰＶをしきい値Ｔ１と比較する。予測されたバッテリ１２５の出力電圧ＰＶがしきい値Ｔ１以下ならば処理をステップＳ５０に進めるが、そうでなければ処理をステップＳ４７に進める。ステップＳ４７においては、電源モードが主電源モードか否かを判断する。主電源モードならば処理をステップＳ５０に進めるが、そうでなければ処理をステップＳ４３に戻す。
【００９３】
ステップＳ５０においては、第５スイッチＳＷ５を開状態にし、処理を終了する。処理がステップＳ４７またはステップＳ４９から進む場合、ステップＳ４２において第５スイッチＳＷ５が閉状態となった以降、バッテリ１２５に蓄積された電力が配電装置３００を介して他の装置、例えばＭＦＰ１００Ａ，１００Ｂに供給されるが、ステップＳ４７またはステップＳ４９において主電源モードに切り換えられたと判断される場合、他の装置ＭＦＰ１００Ａ、１００Ｂにおいても主電源モードに切り換えられるため、他の装置ＭＦＰ１００Ａ，１００Ｂに電力を供給する必要がないからである。
【００９４】
一方、処理がステップＳ４６またはステップＳ４８から進む場合、ステップＳ４２において第５スイッチＳＷ５が閉状態となった以降、バッテリ１２５に蓄積された電力が配電装置３００を介して他の装置、例えばＭＦＰ１００Ａ，１００Ｂに供給され、時間の経過と共にバッテリ１２５の蓄電容量が減少する。そして、バッテリ１２５の蓄電容量が減少すると、バッテリ１２５の出力電圧Ｖ２が減少するので、その出力電圧Ｖ２または予測される出力電圧ＰＶがしきい値Ｔ１以下となるまでバッテリ１２５から電力を供給し、バッテリ１２５の出力電圧Ｖ２または予測される出力電圧ＰＶがしきい値Ｔ１以下となった時点で、ステップＳ５０において、第５スイッチＳＷ５を開状態にする。このため、予約ジョブが存在する場合には、バッテリ１２５の出力電圧Ｖ２がしきい値Ｔ１以下になる前であっても、第５スイッチＳＷ５を開状態にする。このため、予約ジョブを実行するだけの電力がバッテリ１２５に確保されるので、予約ジョブを確実に実行することができる。
【００９５】
図９は、電力供給サーバが備えるＣＰＵの機能の一例を示すブロック図である。図９を参照して、電力管理サーバ２００が備えるＣＰＵ２０１は、ＭＦＰ１００，１００Ａ，１００Ｂそれぞれに状態要求を送信する状態要求部２１１と、ＭＦＰ１００，１００Ａ，１００Ｂそれぞれから電力量を受信する電力受信部２１３と、ＭＦＰ１００，１００Ａ，１００Ｂそれぞれから予約ジョブ情報を受信する予約ジョブ情報受信部２１５と、ＭＦＰ１００，１００Ａ，１００Ｂのうちから受電側装置と供給側装置とを決定する決定部２１７と、供給側装置に供給指令を送信する供給指令送信部２１９と、配電装置３００に配電指令を送信する配電指令送信部２２１と、を含む。
【００９６】
状態要求部２１１は、ネットワークＩ／Ｆ２０４を介して、状態要求をブロードキャストで送信する。これにより、ＭＦＰ１００，１００Ａ，１００Ｂそれぞれにおいて状態要求が受信される。上述したように、ＭＦＰ１００，１００Ａ，１００Ｂそれぞれは、状態要求を受信すると、バッテリ１２５の電力量と予約ジョブが存在する場合には予約ジョブ情報を返信する。
【００９７】
電力受信部２１３は、ネットワークＩ／Ｆ２０４がＭＦＰ１００，１００Ａ，１００Ｂのいずれかから電力量を受信すると、電力量を送信してきた装置の装置識別情報と電力量との組を決定部２１７に出力する。
【００９８】
予約ジョブ情報受信部２１５は、ネットワークＩ／Ｆ２０４がＭＦＰ１００，１００Ａ，１００Ｂのいずれかから予約ジョブ情報を受信すると、予約ジョブ情報を送信してきた装置の装置識別情報と予約ジョブ情報との組を決定部２１７に出力する。
【００９９】
決定部２１７は、電力受信部２１３から受信される装置識別情報と電力量との組、および装置識別情報と予約ジョブ情報との組に基づいて、ＭＦＰ１００，１００Ａ，１００Ｂのうちから受電側装置と供給側装置とを決定する。予約ジョブ情報は、予約ジョブを実行することにより消費されることが予想される消費電力を含んでいる。このため、決定部２１７は、装置識別情報ごとに予約ジョブ情報に含まれる消費電力の合計を、電力量から減算した予測電力量を算出し、算出された予測電力量のうちに、予め定められたしきい値Ｔ１以下となる予測電力量が存在するか否かを判断する。そして、予め定められたしきい値Ｔ１以下となる予測電力量が存在するならば、ＭＦＰ１００，１００Ａ，１００Ｂのうち予め定められたしきい値Ｔ１以下となる予測電力量の装置識別情報で特定されるＭＦＰを受電側装置に決定するとともに、予測電力量が最大の装置識別情報で特定されるＭＦＰを供給側装置に決定する。ここでは、ＭＦＰ１００を供給側装置に決定し、ＭＦＰ１００Ｂを受電側装置に決定する場合を例に説明する。決定部２１７は、供給側装置の装置識別情報を供給指令送信部２１９に出力し、供給側装置および受電側装置それぞれの装置識別情報を配電指令送信部２２１に出力する。
【０１００】
供給指令送信部２１９は、ネットワークＩ／Ｆ２０４を介して、供給側装置に供給指令を送信する。配電指令送信部２２１は、ネットワークＩ／Ｆ２０４を介して、配電装置３００に、供給側装置の装置識別情報と受電側装置の装置識別情報との組を送信する。
【０１０１】
図１０は、決定処理の流れの一例を示すフローチャートである。決定処理は、電力供給サーバが備えるＣＰＵ２０１が、ＲＯＭ２０２、ＨＤＤ１０５またはＣＤ−ＲＯＭ２０９に記憶された電力供給プログラムを実行することにより、ＣＰＵ２０１により実行される処理である。図１０を参照して、ＣＰＵ２０１は、ネットワークＩ／Ｆ２０４を介して状態要求をブロードキャストモードで送信する。これにより、ＭＦＰ１００，１００Ａ，１００Ｂそれぞれにおいて状態要求が受信される。
【０１０２】
状態要求を受信するＭＦＰ１００，１００Ａ，１００Ｂそれぞれは、バッテリ１２５の電力量と予約ジョブが存在する場合には予約ジョブ情報を返信するので、ＣＰＵ２０１は、ネットワークＩ／Ｆ２０４が電力量または予約ジョブ情報を受信したか否かを判断する（ステップＳ１０２）。ネットワークＩ／Ｆ２０４が電力量または予約ジョブ情報を受信したならば処理をステップＳ１０３に進めるが、そうでなければステップＳ１０３をスキップして処理をステップＳ１０４に進める。ステップＳ１０３においては、状態テーブルを更新し、処理をステップＳ１０４に進める。状態テーブルは、ＭＦＰ１００，１００Ａ，１００Ｂごとに状態レコードを含む。状態レコードは、装置識別情報と、電力量と、予約ジョブ情報に含まれる消費電力とを関連付ける。
【０１０３】
ステップＳ１０４においては、ＭＦＰ１００，１００Ａ，１００Ｂごとに予約ジョブ実行後の出力電圧ＰＶを算出する。状態テーブルを参照して、状態レコードごとに電力量から消費電力の和を減算した予測電力量を算出し、算出されたが予測電力量に対応して予め定められた電圧を出力電圧ＰＶに設定する。
【０１０４】
次のステップＳ１０５においては、ステップＳ１０４において、ＭＦＰ１００，１００Ａ，１００Ｂごとに算出された出力電圧ＰＶのうちにしきい値Ｔ１以下となる出力電圧ＰＶが存在するか否かを判断する。少なくとも１つの出力電圧ＰＶがしきい値Ｔ１以下ならば処理のステップＳ１０６に進めるが、すべての出力電圧ＰＶがしきい値Ｔ１以下でなければ処理をステップＳ１０１に戻す。
【０１０５】
ステップＳ１０６においては、ＭＦＰ１００，１００Ａ，１００ＢのうちステップＳ１０４において算出された出力電圧ＰＶがしきい値Ｔ１以下となる装置識別情報で特定されるＭＦＰを受電側装置に決定する。次のステップＳ１０７においては、ＭＦＰ１００，１００Ａ，１００ＢのうちステップＳ１０４において算出された出力電圧ＰＶが最大のＭＦＰを抽出し、次のステップＳ１０８において、抽出されたがＭＦＰを供給側装置に決定する。
【０１０６】
すなわち、ＭＦＰ１００，１００Ａ，１００Ｂのうちに出力電圧ＰＶがしきい値Ｔ１以下となるＭＦＰが１つでも存在する場合に、受電側装置と供給側装置とが決定される。ここでは、ＭＦＰ１００を供給側装置に決定し、ＭＦＰ１００Ａ５受電側装置に決定する場合を説明する。
【０１０７】
次のステップＳ１０９においては、ステップＳ１０８において決定された供給側装置、ここではＭＦＰ１００に供給指令をネットワークＩ／Ｆ２０４を介して送信する。
【０１０８】
そして次のステップＳ１１０において、供給側装置および受電側装置それぞれの装置識別情報を配電装置３００にネットワークＩ／Ｆ２０４を介して送信し、処理を終了する。供給側装置と受電側装置とを区別して配電装置３００に送信する。
【０１０９】
配電装置３００は、供給側装置の識別情報と受電側装置の識別情報との組を電力管理サーバ２００から受信すると、供給側装置と接続される出力線を、受電側装置と接続される入力線と接続する。これにより、供給側装置から出力される電力が受電側装置に供給される。
【０１１０】
図１１は、電力供給システムにおける処理の流れを示すタイムチャートである。図１１においては、ＰＣ４０１を名称「ＰＣ」で示し、ＭＦＰ１００，１００Ａ，１００Ｂをそれぞれ名称「第１ＭＦＰ」、「第２ＭＦＰ」、「第３ＭＦＰ」で示し、電力管理サーバ２００を名称「電力供給サーバ」で示し、配電装置３００を名称「配電装置」で示し、縦軸に時間の流れを示している。
【０１１１】
図１１を参照して、電力供給サーバから第１〜第３ＭＦＰそれぞれに状態要求が送信される。その後、ＰＣから第２ＭＦＰにプリントデータが送信され、そのプリントデータに基づくジョブを実行した時点において、第２ＭＦＰのバッテリ１２５の蓄電容量が低下した場合を想定している。
【０１１２】
電力供給サーバは、第１〜第３ＭＦＰそれぞれに状態要求を送信し、第１〜第３ＭＦＰそれぞれから電力量と予約ジョブ情報とを受信することにより状態テーブルを更新する。その結果、電力供給サーバにおいて第２ＭＦＰを受電側装置に決定し、第１ＭＦＰを供給側装置に決定する。電力供給サーバは、供給側装置に決定した第１ＭＦＰに供給指令を送信するとともに、供給側装置に決定した第１ＭＦＰの装置識別情報と受電側装置に決定した第２ＭＦＰの装置識別情報とを含む配電指令を配電装置に送信する。配電指令を受信する配電装置においては、第１ＭＦＰと接続される出力線を第２ＭＦＰと接続される入力線と接続する。これにより、第１ＭＦＰが備えるバッテリ１２５が出力する電力が第２ＭＦＰに供給される。
【０１１３】
＜変形例＞
上述した実施の形態のおける電力供給システムにおいては、電力管理サーバ２００において供給側装置と受電側装置とを決定するようにした。変形例における電力供給システムにおいては、ＭＦＰ１００，１００Ａ，１００Ｂのいずれかがにおいて、バッテリ１２５の出力電圧に基づいて自装置を受電側装置に決定するようにしたものである。以下、上述した電力供給システムと異なる点を主に説明する。
【０１１４】
図１２は、変形例における電源回路の構成の一例とＣＰＵが備える機能の概要の一例とを示す図である。図１２に示す変形例における電源回路の構成は、図４に示した構成と同じである。図１２に示すＣＰＵ１１１の機能は、図４に示すＣＰＵ１１１の機能と異なる点は、不足信号出力部７１が追加された点である。その他の機能は図４に示したのと同じなので、ここでは説明を繰り返さない。
【０１１５】
不足判断部５５は、バッテリ１２５の電力量が不足すると判断する場合、不足信号を切換制御部６７および不足信号出力部７１に出力する。不足信号出力部７１は、不足判断部５５から不足信号が入力されると、ネットワークＩ／Ｆ２１８を介して不足信号を電力管理サーバ２００に送信する。
【０１１６】
図１３は、変形例における電源モード切換処理の流れの一例を示すフローチャートである。図７に示した電源モード切換処理と異なる点は、ステップＳ２１の前にステップＳ５１が追加された点である。その他の処理は、図７に示したのと同じなので、ここでは説明を繰り返さない。
【０１１７】
図１３を参照して、ステップＳ２０において、バッテリ１２５の出力電圧Ｖ２がしきい値Ｔ１以下ならば処理をステップＳ５１に進める。予約ジョブがＲＡＭ１１４に記憶されておらず、バッテリ１２５の出力電圧Ｖ２がしきい値Ｔ１以下になると、処理をステップＳ５１に進める。また、ステップＳ１８においては、予測されたバッテリ１２５の出力電圧ＰＶがしきい値Ｔ１以下ならば処理をステップＳ５１に進める。予約ジョブがＲＡＭ１１４に記憶されている場合は、予約ジョブを実行した後のバッテリ１２５の出力電力ＰＶを予測し、その出力電力ＰＶがしきい値Ｔ１以下になると、処理をステップＳ５１に進める。
【０１１８】
ステップＳ５１においては、不足信号をネットワークＩ／Ｆ１１８を介して電力管理サーバ２００に送信し、処理をステップＳ２１に進める。このため、自装置においてバッテリ１２５に蓄積されている電力量に基づいて蓄電量が十分か否かを判断し、十分でないと判断する場合に自装置を受電側装置とする旨を電力供給サーバに不足信号送信することにより通知する。
【０１１９】
図１４は、変形例における決定処理の流れの一例を示すフローチャートである。図１４に示す変形例における決定処理において、図１０に示した決定処理と異なる点は、ステップＳ１０１の前に、ステップＳ１０１ＡおよびステップＳ１０１Ｂが追加された点、およびステップＳ１０５およびステップＳ１０６が削除された点である。その他の処理は図１０に示したのと同じなのでここでは説明を繰り返さない。
【０１２０】
ステップＳ１０１Ａにおいては、不足信号を受信したか否かを判断する。ネットワークＩ／Ｆ２０４がＭＦＰ１００，１００Ａ，１００Ｂのいずれかから不足信号を受信するまで待機状態となり（ステップＳ１０１ＡでＮＯ）、不足信号を受信したならば（ステップＳ１０１ＡでＹＥＳ）、処理をステップＳ１０１Ｂに進める。
【０１２１】
次のステップＳ１０１Ｂにおいては、不足信号を送信してきた装置を受電側装置に決定し、処理をステップＳ１０１に進める。ＭＦＰ１００，１００Ａ，１００Ｂのうち不足信号送信してきたＭＦＰを受信側装置に決定する。ここでは、ＭＦＰ１００Ａが不足信号送信してきた場合を例に説明する。次のステップＳ１０１においては、状態要求をＭＦＰ１００，１００Ａ，１００Ｂのうち受電側装置に決定されたＭＦＰ１００Ａ以外のＭＦＰ１００，１００Ｂに送信する。その後、ステップＳ１０８において供給側装置を決定する。ここではＭＦＰ１００を供給側装置に決定する場合を例に説明する。
【０１２２】
図１５は、変形例における電力供給システムにおける処理の流れを示すタイムチャートである。図１５においては、図１１と同様に、ＰＣ４０１を名称「ＰＣ」で示し、ＭＦＰ１００，１００Ａ，１００Ｂをそれぞれ名称「第１ＭＦＰ」、「第２ＭＦＰ」、「第３ＭＦＰ」で示し、電力管理サーバ２００を名称「電力供給サーバ」で示し、配電装置３００を名称「配電装置」で示し、縦軸に時間の流れを示している。
【０１２３】
図１５においては、第２ＭＦＰがＰＣからプリントデータを受信し、第２ＭＦＰのバッテリ１２５の蓄電容量が低下した場合を想定している。第２ＭＦＰは、プリントデータを受信し、バッテリ１２５の出力電圧Ｖ２または予測される出力電圧ＰＶがしきい値Ｔ１以下になると、不足信号を電力供給サーバに送信する。
【０１２４】
不足信号を受信する電力供給サーバは、他の第１ＭＦＰおよび第３ＭＦＰそれぞれに状態要求を送信し、第１および第３ＭＦＰそれぞれから電力量と予約ジョブ情報とを受信することにより状態テーブルを更新する。その結果、電力供給サーバにおいて第１ＭＦＰを供給側装置に決定する。電力供給サーバは、供給側装置に決定した第１ＭＦＰに供給指令を送信するとともに、供給側装置に決定した第１ＭＦＰの装置識別情報と受電側装置に決定した第２ＭＦＰの装置識別情報とを含む配電指令を配電装置に送信する。
【０１２５】
配電指令を受信する配電装置においては、第１ＭＦＰと接続される出力線を第２ＭＦＰと接続される入力線と接続する。これにより、第１ＭＦＰが出力する電力が第２ＭＦＰに供給される。
【０１２６】
以上説明したように、第１の実施の形態における電力供給システム１は、電力管理サーバ２００が、ＭＦＰ１００，１００Ａ，１００Ｂそれぞれから受信される電力量と予約ジョブ情報とに基づいて、受電側装置ＭＦＰ１００Ａと供給側装置ＭＦＰ１００とを決定し、供給側装置ＭＦＰ１００に供給指令を送信し、配電装置３００に配電指令を送信する。配電装置３００によって、配電指令が入力されることに応じて、供給側装置ＭＦＰ１００が備える出力端子１２９と接続される出力線と、受電側装置ＭＦＰ１００Ａが備える入力端子１３１と接続される入力線とを接続する。供給側装置ＭＦＰ１００によって、供給指令が受け付けられてからバッテリ１２５の電力量がしきい値に予約ジョブを実行するために必要な電力量を加算した値になるまで第５スイッチＳＷ５が閉じられ、バッテリ１２５が配電装置３００の入力線と接続され。このため、供給側装置ＭＦＰ１００のバッテリ１２５の電力が、受電側装置ＭＦＰ１００の第２受電回路１２３によって受電され、受電側装置ＭＦＰ１００Ａがジョブを実行可能となる。このため、電力が不足する受電側装置ＭＦＰ１００Ａに、電力が不足しない供給側装置ＭＦＰ１００から電力を供給することができる。また、供給側装置ＭＦＰ１００は、バッテリ１２５の電力量がしきい値に予約ジョブを実行するために必要な電力量を加算した値になった後は、第５スイッチＳＷ５を開くので、供給側装置ＭＦＰ１００において、予約ジョブを確実に実行することができる。
【０１２７】
また、ＭＦＰ１００，１００Ａ，１００Ｂそれぞれは、バッテリ１２５の電力量が、しきい値にジョブ実行手段により実行されていない予約ジョブを実行するために必要な電力量を加算した値以下の間は、第２受電回路１２３の出力電圧が正でなければ、複数種類のジョブのうち予め定められた許可種類のジョブのみを実行する。このため、バッテリ１２５の蓄電容量が低下した後は、特定の種類のジョブを優先的に実行可能にして、電力の消費を抑えることができる。
【０１２８】
＜第２の実施の形態＞
上述した第１の実施の形態における電力供給システム１は、電力管理サーバ２００が、供給側装置を決定するようにしたが、第２の実施の形態における電力供給システム１Ａは、第１の実施の形態における電力供給システムが備える電力管理サーバ２００を用いないようにしたものである。以下、第１の実施の形態における電力供給システム位置と異なる点をともに説明する。
【０１２９】
図１６は、第２の実施の形態における電力供給システムの全体概要を示す図である。図１６を参照して、第２の実施の形態における電力供給システム１Ａは、図１に示した第１の実施の形態における電力供給システム１と異なる点は、電力管理サーバ２００を有しない点である。
【０１３０】
図１７は、第２の実施の形態にけるＭＦＰが備える電源回路の詳細な構成の一例とＣＰＵが備える機能の概要の一例とを示す図である。ここでは、ＭＦＰ１００が有する電源回路およびＣＰＵの機能を説明する。
【０１３１】
図１７を参照して、電源回路５０の構成は、図４示した電源回路５０と同じである。ＣＰＵ１１１Ａの機能は、図４に示したＣＰＵ１１１が有する機能と異なる点は、供給装置決定部８０および配電指令送信部９１が追加された点である。その他の機能は図４に示したのと同じなので、ここでは説明を繰り返さない。
【０１３２】
不足判断部５５は、バッテリ１２５の電力量が不足すると判断する場合、不足信号を切換制御部６７および供給装置決定部８０に出力する。供給装置決定部８０の詳細な機能は後述するが、他の装置のうちから供給側装置を決定し、決定された供給側装置に供給指令を送信する。
【０１３３】
すなわち、第２の実施の形態におけるＭＦＰ１００は、自装置が備えるバッテリ１２５の量力量が不足する場合、自装置を受電側装置に決定し、他のＭＦＰ１００Ａ，１００Ｂのいずれかを供給側装置に決定する。そして、他のＭＦＰ１００Ａ，１００Ｂのうち供給側装置に決定された装置に、供給指令を出力する。
【０１３４】
供給指令受信部６９は、ネットワークＩ／Ｆ１１８が他のＭＦＰから供給指令を受信することに応じて、切換制御部６７に供給指示を出力するとともに、配電指令送信部９１に供給指示を送信してきた装置の装置識別情報を出力する。
【０１３５】
配電指令送信部９１は、ＭＦＰ１００が供給指令を受信したとき、換言すれば、ＭＦＰ１００が供給側装置に決定された場合に機能する。配電指令送信部９１は、供給指令受信部６９から装置識別情報が入力されると、供給指令受信部６９から入力される装置識別情報を受信側装置の装置識別情報とし、自装置の装置識別情報を供給側装置の装置識別情報とする配電指令を、配電装置３００に送信する。
【０１３６】
なお、受電側装置が配電装置３００に配電指令を送信するようにしてもよい。この場合には、配電指令送信部９１は、供給指令受信部６９から装置識別情報が入力されず、供給装置決定部８０から供給側装置の装置識別情報が入力され、供給装置決定部８０から入力される受信側装置の装置識別情報を供給装置の装置識別情報とし、自装置の装置識別情報と受電側装置の装置識別情報とする配電指令を、配電装置３００に送信する。
【０１３７】
図１８は、供給装置決定部の詳細な機能の一例を示すブロック図である。図１８を参照して、供給装置決定部８０は、他のＭＦＰ１００Ａ，１００Ｂそれぞれに状態要求を送信する状態要求部８１と、他のＭＦＰ１００Ａ，１００Ｂそれぞれから電力量を受信する電力受信部８３と、他のＭＦＰ１００Ａ，１００Ｂそれぞれから予約ジョブ情報を受信する予約ジョブ情報受信部８５と、他のＭＦＰ１００Ａ，１００Ｂのうちから供給側装置を決定する決定部８７と、供給側装置に供給指令を送信する供給指令送信部８９と、を含む。
【０１３８】
状態要求部８１は、ネットワークＩ／Ｆ１１８を介して、状態要求をブロードキャストで送信する。これにより、他のＭＦＰ１００Ａ，１００Ｂそれぞれにおいて状態要求が受信される。上述したように、ＭＦＰ１００Ａ，１００Ｂそれぞれは、状態要求を受信すると、バッテリ１２５の電力量と予約ジョブが存在する場合には予約ジョブ情報を返信する。
【０１３９】
電力受信部８３は、ネットワークＩ／Ｆ１１８が他のＭＦＰ１００Ａ，１００Ｂのいずれかから電力量を受信すると、電力量を送信してきた装置の装置識別情報と電力量との組を決定部８７に出力する。
【０１４０】
予約ジョブ情報受信部８５は、ネットワークＩ／Ｆ１１８が他のＭＦＰ１００Ａ，１００Ｂのいずれかから予約ジョブ情報を受信すると、予約ジョブ情報を送信してきた装置の装置識別情報と予約ジョブ情報との組を決定部８７に出力する。
【０１４１】
決定部８７は、電力受信部８３から受信される装置識別情報と電力量との組、および装置識別情報と予約ジョブ情報との組に基づいて、他のＭＦＰ１００Ａ，１００Ｂのうちから供給側装置を決定する。予約ジョブ情報は、予約ジョブを実行することにより消費されることが予想される消費電力を含んでいる。このため、決定部８７は、装置識別情報ごとに予約ジョブ情報に含まれる消費電力の合計を、電力量から減算した予測電力量を算出し、算出された予測電力量が最大の装置識別情報で特定されるＭＦＰを供給側装置に決定する。ここでは、ＭＦＰ１００Ａを供給側装置に決定する場合を例に説明する。決定部８７は、供給側装置の装置識別情報を供給指令送信部８９に出力する。供給指令送信部８９は、ネットワークＩ／Ｆ１１８を介して、供給側装置に供給指令を送信する。
【０１４２】
図１９は、第２の実施の形態における電源モード切換処理の流れの一例を示すフローチャートである。図７に示した電源モード切換処理と異なる点は、ステップＳ２１の前にステップＳ６０が追加された点である。その他の処理は、図７に示したのと同じなので、ここでは説明を繰り返さない。
【０１４３】
図１９を参照して、ステップＳ２０において、バッテリ１２５の出力電圧Ｖ２がしきい値Ｔ１以下ならば処理をステップＳ６０に進める。予約ジョブがＲＡＭ１１４に記憶されておらず、バッテリ１２５の出力電圧Ｖ２がしきい値Ｔ１以下になると、処理をステップＳ６０に進める。また、ステップＳ１８においては、予測されたバッテリ１２５の出力電圧ＰＶがしきい値Ｔ１以下ならば処理をステップＳ６０に進める。予約ジョブがＲＡＭ１１４に記憶されている場合は、予約ジョブを実行した後のバッテリ１２５の出力電力ＰＶを予測し、その出力電力ＰＶがしきい値Ｔ１以下になると、処理をステップＳ６０に進める。ステップＳ６０においては、供給装置決定処理を実行し、処理をステップＳ２１に進める。
【０１４４】
図２０は、供給装置決定処理の流れの一例を示すフローチャートである。供給装置決定処理は、図１９のステップＳ６０において実行される処理である。図２０を参照して、ＣＰＵ１１１は、ネットワークＩ／Ｆ１１８を介して状態要求をブロードキャストモードで送信する（ステップＳ６１）。これにより、他のＭＦＰ１００Ａ，１００Ｂそれぞれにおいて状態要求が受信される。状態要求を受信する他のＭＦＰ１００Ａ，１００Ｂそれぞれは、バッテリ１２５の電力量と予約ジョブが存在する場合には予約ジョブ情報を返信するので、ＣＰＵ１１１は、ネットワークＩ／Ｆ１１８が電力量または予約ジョブ情報を受信したか否かを判断する（ステップＳ６２）。ネットワークＩ／Ｆ１１８が電力量または予約ジョブ情報を受信するまで待機状態となり（ステップＳ６２でＮＯ）、他のＭＦＰ１００Ａ，１００Ｂのすべてから電力量または予約ジョブ情報を受信したならば処理をステップＳ６３に進める。
【０１４５】
ステップＳ６３においては、状態テーブルを更新し、処理をステップＳ６４に進める。状態テーブルは、他のＭＦＰ１００Ａ，１００Ｂごとに状態レコードを含む。状態レコードは、装置識別情報と、電力量と、予約ジョブ情報に含まれる消費電力とを関連付ける。
【０１４６】
ステップＳ６４においては、予約ジョブ実行後の出力電圧ＰＶを算出し、算出された出力電圧ＰＶが最大のＭＦＰを抽出する。状態テーブルを参照して、状態レコードをごとに電力量から消費電力の和を減算した予測電力量を算出し、算出されたが予測電力量に対応して予め定められた電圧を出力電圧ＰＶに設定する。状態レコードは、装置識別情報ごとに状態テーブルに記憶されるので、他のＭＦＰ１００Ａ，１００Ｂごとに出力電圧ＰＶが算出される。
【０１４７】
次のステップＳ６５においては、抽出されたＭＦＰを供給側装置に決定する。ここでは、ＭＦＰ１００Ａを供給側装置に決定する場合を説明する。次のステップＳ６６においては、ステップＳ６５において決定された供給側装置、ここではＭＦＰ１００Ａに供給指令をネットワークＩ／Ｆ１１８を介して送信し、処理を電源モード切換処置に戻す。
【０１４８】
図２１は、第２の実施の形態における電力供給処理の流れの一例を示すフローチャートである。電力供給処理は、ＭＦＰ１００，１００Ａ，１００Ｂが備えるＣＰＵ１１１がＲＯＭ１１３、ＥＥＰＲＯＭ１１５、ＨＤＤ１１６またはＣＤ−ＲＯＭ１１９Ａに記憶された電力供給プログラムを実行することにより、ＣＰＵ１１１により実行される処理である。ここでは、受電側装置であるＭＦＰ１００により供給装置に決定されたＭＦＰ１００Ａが備えるＣＰＵ１１１が実行する電力供給処置を説明する。
【０１４９】
図２１を参照して、図８に示した電力供給処理と異なる点は、ステップＳ４１とステップＳ４２との間に、ステップＳ７１が追加された点である。その他の処理は、図８に示したのと同じなのでここでは説明を繰り返さない。ＣＰＵ１１１は、ネットワークＩ／Ｆ１１８が受電側装置、ここではＭＦＰ１００から供給指令を受信したか否かを判断する（ステップＳ４１）。供給指令を受信するまで待機状態となり（ステップＳ４１でＮＯ）、供給指令を受信すると（ステップＳ４１でＹＥＳ）、処理をステップＳ７１に進める。換言すれば、電力供給処理は、供給指令を受信することを条件に実行される処理である。
【０１５０】
ステップＳ７１においては、供給指令を送信してきた受電側装置であるＭＦＰ１００を識別するための装置識別情報と、供給側装置として自装置の装置識別情報とを含む配電指令を配電装置３００に送信する。配電装置３００は、供給側装置の装置識別情報と受電側装置の装置識別情報とを供給側装置であるＭＦＰ１００Ａから受信すると、供給側装置ＭＦＰ００Ａと接続される出力線を、受電側装置ＭＦＰ１００と接続される入力線と接続する。
【０１５１】
次のステップＳ４２においては、第５スイッチＳＷ５を閉じる。これにより、バッテリ１２５に蓄電された電力が配電装置３００を介して、受電側装置ＭＦＰ１００に供給される。
【０１５２】
図２２は、第２の実施の形態における電力供給システムにおける処理の流れを示すタイムチャートである。図２２においては、図１１と同様に、ＭＦＰ１００，１００Ａ，１００Ｂをそれぞれ名称「第１ＭＦＰ」、「第２ＭＦＰ」、「第３ＭＦＰ」で示し、配電装置３００を名称「配電装置」で示し、縦軸に時間の流れを示している。
【０１５３】
図２２においては、第１ＭＦＰをユーザが操作して、コピーをする場合に、第１ＭＦＰが備えるバッテリ１２５の出力電圧が低下する場合を想定している。図２２を参照して、第１ＭＦＰにコピージョブが入力され、原稿の読み取りが開始される。第１ＭＦＰのバッテリ１２５の出力電圧Ｖ２がしきい値Ｔ１以下になると、「しばらくお待ちください」のメッセージを表示部１０３に表示する。そして、状態要求をブロードキャストで送信する。そして、他の第２ＭＦＰおよび第３ＭＦＰそれぞれから電力量と予約ジョブ情報とを受信することにより状態テーブルを更新する。その結果、第２ＭＦＰを供給側装置に決定する。第１ＭＦＰは、供給側装置に決定した第２ＭＦＰに供給指令を送信する。
【０１５４】
供給指令を受信した第２ＭＦＰは、供給指令を送信してきた受電側装置である第１ＭＦＰの装置識別情報を受電側装置の装置識別情報とし、自装置の装置識別情報を供給側装置の装置識別情報とする配電指令を配電装置３００に送信するとともに、第５スイッチＳＷ５を閉じる。このため、供給側装置である第２ＭＦＰのバッテリ１２５が配電装置の入力線と接続される。
【０１５５】
配電指令を受信する配電装置３００においては、第２ＭＦＰと接続される出力線を第１ＭＦＰと接続される入力線と接続する。これにより、第２ＭＦＰが出力する電力が第１ＭＦＰに供給される。第１ＭＦＰにおいては、待機していたコピープリントを実行する。
【０１５６】
第２の実施の形態における電力供給システム１Ａにおいては、ＭＦＰ１００，１００Ａ，１００Ｂのうちバッテリ１２５の電力量がしきい値に予約ジョブを実行するために必要な電力量を加算した値以下となる受電側装置ＭＦＰ１００は、ＭＦＰ１００Ａ，１００Ｂのうちから供給側装置ＭＦＰ１００Ａを決定し、供給側装置ＭＦＰ１００Ａに供給指令を送信する。供給側装置ＭＦＰ１００Ａは、供給指令を送信してきた受電側装置ＭＦＰ１００と自装置ＭＦＰ１００Ａそれぞれの装置識別情報を含む配電指令を配電装置３００に送信するとともに、供給指令が受信されてからバッテリ１２５の電力量が、しきい値に予約ジョブを実行するために必要な電力量を加算した値以下になるまで第５スイッチＳＷ５を閉じる。このため、受電側装置ＭＦＰ１００に電力を供給することができる。また、供給側装置ＭＦＰ１００Ａは、バッテリ１２５の電力量が、しきい値に予約ジョブを実行するために必要な電力量を加算した値になると、第５スイッチＳＷ５を開くので、予約ジョブを確実に実行することができる。
【０１５７】
なお、上述した実施の形態においては、電力供給システム１，１Ａが備える画像形成装置の一例としてＭＦＰ１００，１００Ａ，１００Ｂを説明したが、図６〜図８、図１０、図１３、図１４または図１９〜図２１に示した処理を実行するための電力供給方法およびその電力供給方法をコンピュータに実行させるための電力供給プログラムとして発明を捉えることができるのは言うまでもない。
【０１５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１５９】
１，１Ａ  電力供給システム、３  ネットワーク、１３  操作パネル、１０  ＡＤＦ、２０  原稿読取部、３０  画像形成部、３０  画像形成装部、４０  給紙部、５０  電源回路、５１  ジョブ実行部、５３  予約ジョブ情報出力部、５５  不足判断部、５７  電力出力部、６１  第３検出部、６３  第１検出部、６５  第２検出部、６７  切換制御部、６９  供給指令受信部、７１  不足信号出力部、８０  供給装置決定部、８１  状態要求部、８３  電力受信部、８５  予約ジョブ情報受信部、８７  決定部、８９  供給指令送信部、９１  配電指令送信部、１００，１００Ａ，１００Ｂ  ＭＦＰ、１０１  メイン回路、１０３  表示部、１０５  操作部、１１１  ＣＰＵ、１１２  通信Ｉ／Ｆ部、１１３  ＲＯＭ、１１４  ＲＡＭ、１１５  ＥＥＰＲＯＭ、１１６  ＨＤＤ、１１７  ファクシミリ部、１１８  ネットワークＩ／Ｆ、１１９  外部記憶装置、１１９Ａ  ＣＤ−ＲＯＭ、１２１  第１受電回路、１２３  第２受電回路、１２５  バッテリ、１２７  合成部、１２９  出力端子、１３１  入力端子、ＳＷ１，ＳＷ２，ＳＷ３，ＳＷ４，ＳＷ５  第１〜第５スイッチ、２００  電力管理サーバ、２０１  ＣＰＵ、２０２  ＲＯＭ、２０３  ＲＡＭ、２０４  ネットワークＩ／Ｆ、２０５  ＨＤＤ、２０６  表示部、２０７  操作部、２０８  外部記憶装置、２１１  状態要求部、２１３  電力受信部、２１５  予約ジョブ情報受信部、２１７  決定部、２１９  供給指令送信部、２２１  配電指令送信部、３００  配電装置、４０３  ファイルサーバ、４０５  電気機器。
【図１】
2012003707.tif 000003
【図２】
2012003707.tif 000004
【図３】
2012003707.tif 000005
【図４】
2012003707.tif 000006
【図５】
2012003707.tif 000007
【図６】
2012003707.tif 000008
【図７】
2012003707.tif 000009
【図８】
2012003707.tif 000010
【図９】
2012003707.tif 000011
【図１０】
2012003707.tif 000012
【図１１】
2012003707.tif 000013
【図１２】
2012003707.tif 000014
【図１３】
2012003707.tif 000015
【図１４】
2012003707.tif 000016
【図１５】
2012003707.tif 000017
【図１６】
2012003707.tif 000018
【図１７】
2012003707.tif 000019
【図１８】
2012003707.tif 000020
【図１９】
2012003707.tif 000021
【図２０】
2012003707.tif 000022
【図２１】
2012003707.tif 000023
【図２２】
2012003707.tif 000024